(57)【要約】  閲覧集団を特徴づけることに応答して、広告コンテンツのための公衆広告ディスプレイ（たとえば、ビルボード）を動的に調整する。少なくとも閲覧集団のサブセットが、ユーザの識別情報ならびにユーザのロケーションに関連付けることができるワイヤレス・ネットワーク・デバイスをもつ。ビヘイビア、収集された人口統計データ、他のデバイスによるウェブ・ブラウジングなどに基づいて、ユーザ・プロファイルを開発する。広告キャンペーンが、特定の特徴づけの閲覧者の数に基づくロイヤルティ値を有する。閲覧者の数と閲覧者の少なくとも一部分の特徴づけとを判断することに基づいて、ロイヤルティの最適化を動的に判断する。識別されたユーザに関してこれらの閲覧を追跡することによって、閲覧者当たりのリーチ・フリークエンシー時間のターゲット広告キャンペーンを少なくとも部分的に満たすことができる。市場プラットフォームにより、広告主への追跡およびロイヤルティ報告を非個人化して、ユーザを保護し、ユーザの追跡への参加を促進する。
2011525258.tif 000002
【特許請求の範囲】
【請求項１】
広告コンテンツを配信するための方法であって、
複数のモバイル通信デバイスの複数のユーザを特徴づけることと、
対応する前記モバイル通信デバイスのロケーション値に基づいて、動的広告ディスプレイの近位にいる閲覧集団としての前記複数のユーザのサブセットを感知することと、
前記ユーザのサブセットの前記特徴づけに基づいて、前記動的広告ディスプレイ上に表示するための広告を選択することと、
を備える方法。
【請求項２】
前記モバイル通信デバイスに組み込まれたロケーション感知デバイスによって検出されるロケーション・データを受信することによってロケーション値を判断することをさらに備える、請求項１に記載の方法。
【請求項３】
前記モバイル通信デバイスと通信しているネットワーク・ノードからロケーション・データを受信することによってロケーション値を判断することをさらに備える、請求項１に記載の方法。
【請求項４】
短距離検出器を使用してロケーション値を判断することをさらに備える、請求項３に記載の方法。
【請求項５】
無線周波識別（ＲＦＩＤ）システムを使用してロケーション値を判断することをさらに備える、請求項４に記載の方法。
【請求項６】
デジタル・セルラー・ネットワークを使用してロケーション値を判断することをさらに備える、請求項３に記載の方法。
【請求項７】
前記動的広告ディスプレイの閲覧エリアに近似するカバレージエリアを有するワイヤレス・データ・パケット・アクセス・ポイントを使用してロケーション値を判断することをさらに備える、請求項３に記載の方法。
【請求項８】
動き感知によって前記動的広告ディスプレイの前記閲覧集団の追加の匿名閲覧者を定量化することをさらに備える、請求項１に記載の方法。
【請求項９】
前記動的広告ディスプレイに近接している閲覧者の画像認識によって前記動的広告ディスプレイの前記閲覧集団の追加の匿名閲覧者を定量化することをさらに備える、請求項１に記載の方法。
【請求項１０】
ロイヤルティ収入を最適化することによって前記広告を選択することであって、各広告が、所定のカテゴリ内で特徴づけられた閲覧者の量に基づくロイヤルティ・メトリックに関連付けられた、選択することをさらに備える、請求項１に記載の方法。
【請求項１１】
ロイヤルティ収入を最適化することであって、少なくとも１つの広告が、匿名閲覧者の量に基づくロイヤルティ・メトリックにさらに関連付けられた、最適化することをさらに備える、請求項１０に記載の方法。
【請求項１２】
広告コンテンツを配信するための少なくとも１つのプロセッサであって、
複数のモバイル通信デバイスの複数のユーザを特徴づけるためのモジュールと、
対応する前記モバイル通信デバイスのロケーション値に基づいて、動的広告ディスプレイの近位にいる閲覧集団としての前記複数のユーザのサブセットを感知するためのモジュールと、
前記ユーザのサブセットの前記特徴づけに基づいて、前記動的広告ディスプレイ上に表示するための広告を選択するためのモジュールと、
を備えるプロセッサ。
【請求項１３】
広告コンテンツを配信するためのコンピュータ・プログラム製品であって、
複数のモバイル通信デバイスの複数のユーザを特徴づけることをコンピュータに行わせるための少なくとも１つの命令と、
対応する前記モバイル通信デバイスのロケーション値に基づいて、動的広告ディスプレイの近位にいる閲覧集団としての前記複数のユーザのサブセットを感知することをコンピュータに行わせるための少なくとも１つの命令と、
前記ユーザのサブセットの前記特徴づけに基づいて、前記動的広告ディスプレイ上に表示するための広告を選択することをコンピュータに行わせるための少なくとも１つの命令と、
を備えるコンピュータ・プログラム製品。
【請求項１４】
広告コンテンツを配信するための装置であって、
複数のモバイル通信デバイスの複数のユーザを特徴づけるための手段と、
対応する前記モバイル通信デバイスのロケーション値に基づいて、動的広告ディスプレイの近位にいる閲覧集団としての前記複数のユーザのサブセットを感知するための手段と、
前記ユーザのサブセットの前記特徴づけに基づいて、前記動的広告ディスプレイ上に表示するための広告を選択するための手段と、
を備える装置。
【請求項１５】
広告コンテンツを配信するための装置であって、
複数のモバイル通信デバイスの複数のユーザを特徴づけるための市場プラットフォームと、
対応する前記モバイル通信デバイスのロケーション値に基づいて、動的広告ディスプレイの近位にいる閲覧集団としての前記複数のユーザのサブセットを感知するためのロケーション感知構成要素と、
前記ユーザのサブセットの前記特徴づけに基づいて、前記動的広告ディスプレイ上に表示するための広告を選択するための収入最適化構成要素と、
を備える装置。
【請求項１６】
前記複数の前記モバイル通信デバイスのうちの少なくとも１つに組み込まれ、前記ロケーション感知構成要素に通信するための前記ロケーション値を判断するためのロケーション感知デバイスをさらに備える、請求項１５に記載の装置。
【請求項１７】
前記複数のモバイル通信デバイスのうちの少なくとも１つと通信し、それぞれの前記ロケーション値を判断するためのネットワーク・ノードをさらに備える、請求項１５に記載の装置。
【請求項１８】
ロケーション値を判断するための短距離検出器をさらに備える、請求項１５に記載の装置。
【請求項１９】
前記モバイル通信デバイスのロケーション値を判断するための無線周波識別（ＲＦＩＤ）システムをさらに備える、請求項１８に記載の装置。
【請求項２０】
前記モバイル通信デバイスのロケーション値を判断するためのデジタル・セルラー・ネットワークをさらに備える、請求項１７に記載の装置。
【請求項２１】
前記ロケーション値を判断するために前記動的広告ディスプレイの閲覧エリアに近似するカバレージエリアを有するワイヤレス・データ・パケット・アクセス・ポイントをさらに備える、請求項１７に記載の装置。
【請求項２２】
動き感知によって前記動的広告ディスプレイの前記閲覧集団の追加の匿名閲覧者を定量化するための動きセンサをさらに備える、請求項１５に記載の装置。
【請求項２３】
前記閲覧集団の追加の匿名閲覧者を定量化するために前記動的広告ディスプレイの近位にある画像認識構成要素をさらに備える、請求項１５に記載の装置。
【請求項２４】
ロイヤルティ収入を最適化することによって前記広告を選択するためのロイヤルティ最適化構成要素であって、各広告が、所定のカテゴリ内で特徴づけられた閲覧者の量に基づくロイヤルティ・メトリックに関連付けられた、ロイヤルティ最適化構成要素をさらに備える、請求項１５に記載の装置。
【請求項２５】
前記広告を選択するためのロイヤルティ最適化構成要素であって、少なくとも１つの広告が、匿名閲覧者の量に基づくロイヤルティ・メトリックにさらに関連付けられた、ロイヤルティ最適化構成要素をさらに備える、請求項２３に記載の装置。
【発明の詳細な説明】
【技術分野】
【０００１】
米国特許法第１１９条に基づく優先権の主張
本特許出願は、本出願の譲受人に譲渡され、参照により本明細書に明白に組み込まれる、２００８年２月１日に出願された「クリティカル・マス・ビルボード（Critical Mass Billboard）」と題する仮出願第６１／０２５，６５２号の優先権を主張する。
【０００２】
本明細書で開示する態様は、動的ビルボードなどの動的広告ベニュー上に提示される広告を配信および追跡する通信ネットワークに関し、より詳細には、閲覧者集団を特徴づけることに基づいて広告を選択する市場プラットフォームを提供することに関する。
【背景技術】
【０００３】
長年の間、企業は、従来の手段によって、自社の製品をブランド化し、既存消費者を満足させ、潜在的な新規消費者を獲得しようと試みてきた。広告が、新聞、雑誌、パンフレット、会報、プレスリリースおよびビルボード（掲示板）のような印刷形態から、スポンサーシップ、セミナー、ポイントオブセールおよびプロモーションのプログラムのようなイベント関連のアクティビティになり、ラジオ、テレビジョン、ケーブルおよび最近では衛星ケーブルのようなブロードキャスト・メディアになるにつれて、企業の発展は、より創造的でないときは直線的になり、より創造的なときは非直線的になることもあった。
【０００４】
近年、以前は直接広告と称されていた新しい形態を用いて、個々の消費者をよりターゲットにし、個々の消費者のためにより調整された広告が増えている。消費者購買習慣、トレンディングおよび予測将来習慣に関係する特定の消費者データ・マイニングを広告主にもたらすために、プル型キャンペーンおよびプッシュ型キャンペーンによって消費者と直接対話し、広告をより測定可能にするための新しい努力がなされている。マーケティング独創性を組み合わせた技術表現手段の進歩により、古いダイレクト・メール・マーケティング・キャンペーンは、テレマーケティング、ポイントオブセール・キャンペーン、コンピュータ・プラットフォーム、ならびにごく最近では通信ネットワークによる配信および測定を含む、新しい分野へと拡大した。
【０００５】
後者に関しては、おそらく、マーケティングの新しい世界のための最大のプラットフォームは、過去１０年における情報交換のための最大のプラットフォームと同じであり、すなわち、インターネットである。いくつかの例を挙げれば、ブランド化されたウェブサイト、バナー広告、ポップアップ広告、ターゲット電子メール、ポータル・スポンサーシップのような方法によって、広告主は、ターゲット層に注意を集中することができるようになった。いくつかの例を挙げれば、サービスされたインプレッション、クリックスルーレート（ＣＴＲ）、コストパーアクション（ＣＰＡ）、コストパークリック（ＣＰＣ）、コストパーセール（ＣＰＳ）、およびコストパーサウザンド（ＣＰＭ）のような定義されたメトリックおよび革新的な意味論によって、広告主は、ターゲット広告の結果を測定し、得られたパフォーマンス結果に対して料金を客観的に設定することができるようになった。これらの新しい進歩とともに、ビジネス、地理的要素、および統合通信ネットワークの性質がますます国際的になったため、広告は本質的に、ますますグローバルになっている。
【０００６】
ただし、ビルボードなどの従来の静的広告ベニューは、動的に変化する広告のためのアクティブな電子的要素を組み込むことによって、いくつかの改良を受けた。それによって、メディア・コンテンツは、より興味深くなり、時刻などによって変化して、ターゲット層のために広告をより良く調整することができる。たとえば、仕事で都市部に通勤する人々は、昼の運転者と比較して異なる層人口統計を構成することがある。そのようなダイナミズムの付加により従来の広告ベニューの広告価値は高まったが、これらの動的広告ベニューには、より対話型の広告チャネルによって享受されるターゲティングの程度およびマーケティング・フィードバックがまだ欠けている。
【発明の概要】
【０００７】
以下で、開示するバージョンのいくつかの態様の基本的理解を与えるために、簡略化された概要を提示する。この概要は、包括的な概観ではなく、主要または重要な要素を識別するものでも、そのようなバージョンの範囲を定めるものでもない。その目的は、後で提示するより詳細な説明の導入として、説明するバージョンのいくつかの概念を簡略化された形態で提示することである。
【０００８】
１つまたは複数の態様およびその対応する開示に従って、動的広告ベニューの近傍にあるモバイル通信デバイスを追跡することに関して、様々な態様について説明する。これらのモバイル通信デバイスのユーザを前もって特徴づけておくことによって、複数の広告キャンペーンのうちの１つの予測される受容性に関して、閲覧集団を判断し、動的に特徴づけることができる。現在の閲覧集団をターゲットにした広告を選択することによって、ロイヤルティ（royalty）収入を最適化することができる。
【０００９】
一態様では、広告コンテンツを配信するための方法を提供する。複数のモバイル通信デバイスの複数のユーザを特徴づける。対応するモバイル通信デバイスのロケーション値に基づいて、動的広告ディスプレイの近位にいる閲覧集団としての複数のユーザのサブセットを感知する。ユーザのサブセットの特徴づけに基づいて、動的広告ディスプレイ上に表示するための広告を選択する。
【００１０】
別の態様では、少なくとも１つのプロセッサが広告コンテンツを配信する。１つのモジュールが、複数のモバイル通信デバイスの複数のユーザを特徴づける。１つのモジュールが、対応するモバイル通信デバイスのロケーション値に基づいて、動的広告ディスプレイの近位にいる閲覧集団としての複数のユーザのサブセットを感知する。１つのモジュールが、ユーザのサブセットの特徴づけに基づいて、動的広告ディスプレイ上に表示するための広告を選択する。
【００１１】
追加の態様では、コンピュータ・プログラム製品が広告コンテンツを配信する。コンピュータ・プログラム製品は、本方法を実行することをコンピュータに行わせるための命令のセットを備える。
【００１２】
別の追加の態様では、装置が広告コンテンツを配信する。複数のモバイル通信デバイスの複数のユーザを特徴づけるための手段を設ける。対応するモバイル通信デバイスのロケーション値に基づいて、動的広告ディスプレイの近位にいる閲覧集団としての複数のユーザのサブセットを感知するための手段を設ける。ユーザのサブセットの特徴づけに基づいて、動的広告ディスプレイ上に表示するための広告を選択するための手段を設ける。
【００１３】
さらなる態様では、装置が広告コンテンツを配信する。市場プラットフォームが、複数のモバイル通信デバイスの複数のユーザを特徴づける。ロケーション感知構成要素が、対応するモバイル通信デバイスのロケーション値に基づいて、動的広告ディスプレイの近位にいる閲覧集団としての複数のユーザのサブセットを感知する。収入最適化構成要素が、ユーザのサブセットの特徴づけに基づいて、動的広告ディスプレイ上に表示するための広告を選択する。
【００１４】
上記および関連する目的を達成するために、１つまたは複数のバージョンは、以下で十分に説明し、特に特許請求の範囲で指摘する特徴を備える。以下の説明および添付の図面は、いくつかの例示的な態様を詳細に記載し、バージョンの原理が使用できる様々な方法のほんのいくつかを示すものである。他の利点および新規の特徴は、図面とともに以下の詳細な説明を検討すると明らかになり、開示するバージョンは、すべてのそのような態様およびそれらの均等物を含むものとする。
【図面の簡単な説明】
【００１５】
【図１】一態様による、動的広告ベニューの閉ループ制御を行うための通信システムを示す図。
【図２】一態様による、閲覧集団によって追跡された閲覧に基づいてロイヤルティ生成を動的に最適化するための方法を示す図。
【図３】一態様による、エンド・ツー・エンド(end-to-end)のモバイル広告通信システムのブロック図。
【図４】別の態様による、エンド・ツー・エンドのモバイル広告通信システムのモバイル・デバイスと、市場プラットフォームと、広告プラットフォームとのタイミング図。
【図５】さらに別の態様による、例示的なエンド・ツー・エンドのモバイル広告通信システムの概略図。
【図６】さらに別の態様による、図５の通信システムのキャンペーン管理のための例示的なグラフィカル・ユーザ・インターフェースの図。
【図７】一態様による、図５のモバイル通信デバイスのブロック図。
【図８】別の態様による、図５の通信システムによって実行されるモバイル通信デバイス広告のための方法の流れ図。
【図９】さらに別の態様による、エンド・ツー・エンドのモバイル広告のための方法の流れ図。
【図１０】一態様による、図９の方法のロケーション情報に基づくビヘイビア・プロファイリングのための方法の流れ図。
【図１１】一態様による、図７の方法のリーチ・フリークエンシー時間(reach-frequency-time)広告のための方法の流れ図。
【図１２】別の態様による、図７の方法のインターセプター・マイクロ・ターゲティング広告のための方法の流れ図。
【図１３】さらに別の態様による、図９の方法の時限クーポン広告のための方法の流れ図。
【図１４】一態様による、モバイル通信デバイスのためのアイコン・アクションを選択するための方法の流れ図。
【図１５】一態様による、閲覧層の感知された人口統計に基づいて公に閲覧される広告を選択することの流れ図。
【図１６】一態様による消費者間広告の流れ図。
【図１７】一態様による、広告コンテンツをモバイル通信デバイスに配信するための、少なくとも１つのプロセッサによって実行されるコンピュータ可読記憶媒体中のモジュールを有するネットワーク配信デバイスのブロック図。
【発明を実施するための形態】
【００１６】
閲覧集団を特徴づけることに応答して、広告コンテンツのための公衆広告ディスプレイ（たとえば、ビルボード）を動的に調整する。少なくとも閲覧集団のサブセットが、ユーザの識別情報ならびにユーザのロケーション（たとえば、全地球測位システム（ＧＰＳ）、ネットワーク基地局、無線周波識別子（ＲＦＩＤ）など）に関連付けることができるワイヤレス・ネットワーク・デバイスをもつ。ワイヤレス・ネットワーク・デバイス上での広告とのユーザ対話、収集された人口統計データ、他のデバイスによるウェブ・ブラウジングなどに基づいて、ユーザ・プロファイルを開発する。広告キャンペーンが、特定の特徴づけの閲覧者の数に基づくロイヤルティ値を有する。閲覧者の数と閲覧者の少なくとも一部分の特徴づけとを判断することに基づいて、ロイヤルティの最適化を動的に判断する。識別されたユーザに関してこれらの閲覧を追跡することによって、閲覧者当たりのリーチ・フリークエンシー時間のターゲット広告キャンペーンを少なくとも部分的に満たすことができる。市場プラットフォームにより、広告主への追跡およびロイヤルティ報告を非個人化して、ユーザを保護し、ユーザの追跡への参加を促進する。
【００１７】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。
【００１８】
本装置および本方法は、ワイヤレス環境での使用に特に好適であるが、限定はしないが、通信ネットワーク、インターネットなどの公衆ネットワーク、バーチャル・プライベート・ネットワーク（ＶＰＮ）などのプライベート・ネットワーク、ローカルエリア・ネットワーク、ワイドエリア・ネットワーク、長距離ネットワーク、または任意の他のタイプのデータ通信ネットワークを含む、任意のタイプのネットワーク環境で適していることがある。
【００１９】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施できることは明白であろう。他の例では、これらのバージョンを簡潔に説明するために、よく知られている構造およびデバイスをブロック図の形態で示す。
【００２０】
図１を参照すると、一態様によれば、通信システム１０は、閲覧集団２０を判断するためにモバイル・デバイス１４、１６のロケーション、ならびに匿名閲覧者１８の近接度を追跡することによって、マス広告デバイスとして示されている動的広告ベニュー１２の閉ループ制御を行う。おそらく閲覧距離の外側にいる他の閲覧者２２を、後に閲覧集団２０の一部になることについて監視することができる。市場プラットフォーム２４は、動的広告ベニュー１２のユーザ出力デバイス３２上に表示される広告３０の選択を最適化するために、それぞれモバイル・デバイス１４、１６を使用する加入閲覧者２６、２８をプロファイリング(明瞭化)する。
【００２１】
市場プラットフォーム２４は、１つまたは複数の方法で閲覧集団２０を確認することができる。一態様では、モバイル通信デバイス１４は、ＧＳＰ衛星コンスタレーション３５から信号を受信する全地球測位システム（ＧＰＳ）受信機などの固有のロケーション感知構成要素３４を有することができる。この情報は、アンテナ３８を使用してデータ・パケット・エアインターフェース４０を介して通信モジュール３６からネットワーク無線アクセス技術（ＲＡＴ）４２に中継し、その後、市場プラットフォーム２４のネットワーク通信構成要素４４に中継することができる。通信デバイス１４のデバイス識別子（ＩＤ）４６は、市場プラットフォーム２４のビヘイビアおよび人口統計プロファイリング構成要素４８のためのデータを収集するために、加入閲覧者２６に関連付けることができる。さらなる態様では、このプロファイリングは、加入閲覧者２６がどのようにモバイル通信デバイス１４のユーザ・インターフェース５０と対話するかに少なくとも部分的に基づくことができる。
【００２２】
代替的に、または追加として、モバイル通信デバイス１６は、固有のロケーション感知構成要素を欠くことがある。代わりに、通信システム１０は、ワイヤレス・ノード（たとえば、基地局、アクセス・ポイント、無線周波識別子（ＲＦＩＤ）システムなど）５２として示されている他の手段によってロケーションを確認することができ、ワイヤレス・ノード５２は、動的広告ベニュー１２のユーザ出力デバイス３２に対する加入閲覧者２８の近接度を判断するのに十分な受信カバレージエリア、受信電力感知または方向感知を有する。
【００２３】
さらに、プロファイリングのために識別はされないが、閲覧者の全体的な量が、広告の選択に影響するか、または選択された広告に関して稼得されるロイヤルティに影響を及ぼすことがある。そのためには、動的広告ベニュー１２の動き感知／画像処理構成要素５４は、閲覧者の総数を推定するか、または何人かの閲覧者の移動の方向を判断して、閲覧集団２０についての判断を改善することができ、したがって、モバイル通信デバイスがない受動閲覧者をも評価することができる。代替的に、加入者プロファイルは存在しないが、これらの閲覧者の近接度を、これらの閲覧者がもつ、感知できるワイヤレス・デバイス（たとえば、セルホン、ワイヤレス電子メール・デバイスなど）から判断することができるので、これらの閲覧者を匿名とすることができる。
【００２４】
ロケーション・データおよびユーザ・プロファイリングの利益とともに、市場プラットフォーム２２は、広告配信構成要素５６を用いて、第１の広告主６０からの広告キャンペーン「アルファ」５８と、第２の広告主６４からの広告キャンペーン「ベータ」６２とを、動的広告ベニュー１２のネットワーク通信構成要素６５に配信することができる。動的広告ベニュー１２は、そのロケーションを市場プラットフォーム２２に報告するためのロケーション構成要素６６を有するか（たとえば、モバイル・ブリンプ・ビルボード(mobile blimp billboard)）、または市場プラットフォーム２２に知られている静的ロケーションを有する。閲覧者集団特徴づけ構成要素６８は、閲覧集団２０の量および質を特徴づけるために利用可能なロケーション情報を利用する。この特徴づけデータは、ロイヤルティ最適化構成要素７０に供給され、ロイヤルティ最適化構成要素７０は、広告キャンペーン５８、６２のどちらをユーザ出力デバイス３２上に動的に表示すべきかを判断する。代替的に、または追加として、広告選択構成要素７２によって現場でリアルタイム判断が行われるようにするのに十分なメトリックおよび制御論理を動的広告ベニュー１２に搬送する。
【００２５】
図２、図４、および図８〜図１６に、請求する主題による方法および／または流れ図を示す。説明を簡単にするために、方法を一連の行為として図示し説明する。本発明は、図示する行為によって、および／または行為の順序によって限定されないことを理解し、諒解されたい。たとえば、行為は、本明細書で提示および説明していない様々な順序で、および／または他の行為と同時に行われることがある。さらに、請求する主題による方法を実装するために、図示のすべての行為が必要とされるわけではない。さらに、方法は、状態図による一連の相互に関連する状態またはイベントとして代替的に表現できることを当業者ならば理解し、諒解するであろう。さらに、以下および本明細書の全体にわたって開示する方法は、そのような方法をコンピュータに移送および転送することを可能にする製造品に記憶することが可能であることをさらに諒解されたい。本明細書で使用する製造品という用語は、任意のコンピュータ可読デバイス、キャリア、または媒体からアクセス可能なコンピュータ・プログラムを包含するものとする。
【００２６】
図２を参照すると、方法７４は、動的広告ベニュー７８における特徴づけられた閲覧者（グループＡ）７５と、特徴づけられた閲覧者（グループＢ）７６と、一般の受動または匿名閲覧者７７とからなる閲覧集団によって追跡された閲覧に基づいて、ロイヤルティ生成を動的に最適化する。市場プラットフォーム７９は、ロイヤルティ最適化および広告主プラットフォーム８０からの広告コンテンツの配信を可能にする。
【００２７】
８１に示すように、市場プラットフォーム７９は、特徴づけられた閲覧者（グループＡ）７５に関するデータを収集する。８２に示すように、市場プラットフォーム７９は、特徴づけられた閲覧者（グループＢ）７６に関するデータを収集する。次いで、８３に示すように、市場プラットフォーム７９は、このデータを処理して閲覧者７５、７６のプロファイルを生成する。一方、８４に示すように、動的広告ベニュー７８が閲覧集団の感知された測定値を顧慮せずに広告を提示していると考える。
【００２８】
市場プラットフォーム７９は、８５に示すように広告キャンペーン「アルファ」を受信し、８６に示すように広告キャンペーン「ベータ」を受信する。これらのキャンペーンは、動的広告ベニュー７８に適した広告にフォーマッティングされ、動的広告ベニュー７８は、表示するためのメトリック（たとえば、継続時間、時刻、フリークエンシーなど）を含むことができる。８８に示す広告の展開は、閲覧集団に応答してロイヤルティ収入を最適化するためにどの広告を提示すべきかに関するいくつかの判断を、動的広告ベニュー７８においてローカルで行うのに十分な制御論理およびデータをさらに含むことができる。別の態様では、市場プラットフォーム７９は、広告選択のリアルタイム制御を保持することができる。
【００２９】
動的広告ベニュー７８は、８９に示すように動きまたは画像を感知して、９０に示すように市場プラットフォーム７９に閲覧者推定値を供給する。したがって、そのような感知により、特徴づけられた閲覧者に関するデータを増やして受動閲覧者を含む総閲覧集団を判断するか、特徴づけられた閲覧者のうちのどの閲覧者が、広告に応答していることを示唆するように動的広告ベニュー７８に向かって移動しているかを判断するか、または、特徴づけられていない／プロファイリングされていない匿名閲覧者をカウントすることを可能にする一意のワイヤレス・デバイス信号を検出することができる。９１に示すように、特徴づけられた閲覧者（グループＢ）７６に関するロケーション・データを受信する。９２に示すように、特徴づけられた閲覧者（グループＡ）７５に関するロケーション・データを受信する。
【００３０】
９３に示すように、市場プラットフォーム７９は、受信したデータを使用して、たとえば、動的広告ベニュー７８からの距離に関してしきい値の判断を行い、閲覧集団を判断する。この判断は、動的広告ベニュー７８に向かっているのか、動的広告ベニュー７８から離れているのか、さらには、特に動的広告ベニュー７８の閲覧可能な側に向かっているかどうかを含む、移動の方向を含むことができる。
【００３１】
次いで、９４に示すように、市場プラットフォーム７９は、アルファ広告キャンペーンがターゲットにしている特徴づけられた閲覧者（グループＡ）７５の量と、ベータ広告キャンペーンがターゲットにしている特徴づけられた閲覧者（グループＢ）７６の量とを判断するなど、この閲覧可能な集団の特定の断面をさらに判断する。たとえば、アルファ広告キャンペーンが、動的広告ベニューの近くのコンベンション・センターで時々会う医師など、集団の狭い断面に属する該当する人ごとに高いロイヤルティレート(使用料）を有することがある。対照的に、ベータ広告キャンペーンが、アルコール飲料を飲む人々など、集団の大きい断面に属する該当する人ごとに低いロイヤルティレートを有することがある。
【００３２】
分析された閲覧集団を用いて、９５に示すように、閲覧集団の特性に関する選択された閉ループ制御によって利用可能な広告のためにロイヤルティ収入を最適化する。たとえば、閲覧集団において感知された少数の医師が、アルコール飲料の飲酒者のより大きいグループに関して予測されるロイヤルティ収入を上回る予測されるロイヤルティ収入をもたらすことがある。さらなる一例として、該当する性質の特徴づけられた閲覧者が不足しているとき、いくつかの広告は、閲覧者の特徴づけされていない集団に基づいて、ターゲット広告を上回る収入を生成することがある。したがって、９６において、市場プラットフォーム７９は、どの広告キャンペーンを表示すべきかを指定するか、または動的広告ベニュー７８がこれらの判断をローカルで行えるように動的広告ベニュー７８に十分な案内を与える。このようにして、９７に示すように、指定された広告を提示する。ブロック９８に示すように、このプロセスを繰り返して、閲覧集団の変化ならびに適用可能なロイヤルティレートの変化に適応する。後者の例は、いくつかの広告キャンペーンが時間ウィンドウを有することができるということである。次いで、市場プラットフォーム７９は、９９に示すように、特定の広告キャンペーンに露出された閲覧集団の量および質に関する非個人化されたデータを報告して、ロイヤルティを稼得する。
【００３３】
図３を参照すると、一態様によれば、通信システム１００は、広告主の広告プラットフォーム１０２のリーチを、モバイル通信デバイス１０４として示されているクライアント・デバイスの集団に拡大するためのエンド・ツー・エンドの解決策を広告主に提供するが、モバイル通信デバイス１０４は、広告プラットフォーム１０２によって使用される他の通信チャネルとは著しく異なるディスプレイ、通信帯域幅、およびユーザ対話を有する。市場プラットフォーム１０６は、広告プラットフォーム１０２とモバイル通信デバイスとの間のインターフェースを与え、モバイル通信デバイス１０４の特定の必要を処理する。たとえば、市場プラットフォーム１０６は、広告主が他の広告配信および通信チャネル（たとえば、ウェブポータルなど）のために使用される１つの広告インベントリ１１０を維持することができるように、広告プラットフォーム１０２に代わって広告をフォーマッティングするフォーマッティング構成要素１０８を含む。したがって、広告プラットフォームは、モバイル通信デバイス１０４の各構成１１２のための無数の提示制約について最新の状態を保つ必要はない。したがって、広告は、特定のモバイル通信デバイス１０４のユーザ・インターフェース１１４に応じて適切な対話オプションを用いた適切なレンダリングで提示できる。
【００３４】
市場プラットフォーム１０６は、モバイル・デバイス１０４の集団の「リーチ」を判断することによって、広告主に付加価値を提供する。市場プラットフォーム１０６が広告の提示のための機能を知っているだけでなく、ユーザ・インターフェース１１４を介して、および／またはモバイル通信デバイス１０４のロケーション感知構成要素１１６によって、ユーザのビヘイビア（たとえば、呼履歴、モバイル広告との対話など）が感知される。これらのビヘイビア指示は、同じくモバイル通信デバイス１０４上に常駐する広告クライアント１１８によって報告される。それによって、市場プラットフォーム１０６は、ビヘイビアおよび人口統計データをデータベース１２０に記憶することによって、モバイル通信デバイス１０４に関する「疑わしい」人口統計データを超えることができる。広告予測構成要素１２２は、このデータを分析して、モバイル通信デバイス１０４のユーザについての直接感知されたまたは解釈されたビヘイビアを特徴づける。
【００３５】
モバイル通信デバイス１０４が追加の広告を必要とするとき、広告クライアント１１８は要求を作成し、その要求は市場プラットフォーム１０６によってフォワーディングされる。後者を達成すると同時に、広告プラットフォーム１０２がモバイル通信デバイス１０４の特徴づけのみを知るように、プライバシー構成要素１２４を用いて個人の識別情報をフィルタ除去する。代替的に、市場プラットフォーム１０６は、広告プラットフォーム１０２の広告インベントリ１１０における様々な広告にアクセスでき、広告マイクロ・ターゲッティング構成要素１２６を利用して、広告予測構成要素１２２によって維持される特徴づけに従って要求モバイル通信デバイス１０４のための適切な広告を選択する。モバイル通信デバイス１０４は、ユーザ・インターフェース１１４上に広告を提示し、その使用を広告クライアント１１８を介して市場プラットフォーム１０６に報告する。そのデータは、広告主が広告キャンペーンの効果を評価することができるように、広告プラットフォーム１０２に適合するデータフォーマットに従って報告フォーマッティング構成要素１２８によって処理できる。特に市場プラットフォーム１０６に支払うべき支払いの額が広告追跡データに関係する場合、広告追跡データはまた、支払い請求構成要素１３０によって処理できる。ユーザが、提示された広告に関連する商品またはサービスを購買する希望を示す方法でユーザ・インターフェース１１４と対話した場合、市場プラットフォーム１０６は、広告仲介販売構成要素１３２を与え、現在の支払い請求方法、認証方法、およびプライバシーフィルタを活用して、広告プラットフォーム１０２とモバイル通信デバイス１０４のユーザとの間のトランザクションを可能にする。
【００３６】
広告へのリーチ・フリークエンシー、および露出時間は、ユーザ１４０が複数のコンピューティング環境（たとえば、アプリケーション、デバイスなど）にわたって同じ広告キャンペーンに露出される場合を取り込むために、拡大できる。たとえば、ユーザ１４０は、複数のアプリケーション（たとえば、ＷＡＰブラウザ、ゲーム機、通信デバイスメニューなど）を提示することが可能なユーザ・インターフェース１１４をもつ１つのクライアント・デバイス（たとえば、モバイル通信デバイス１０４）と対話する。代替的にまたは追加として、ユーザ１４０は、市場プラットフォーム１０６に応答する広告クライアント１４６を同じく有する別のクライアント・デバイス１４４の第２のユーザ・インターフェース１４２と対話することができる。市場プラットフォーム１０６の永続的リーチ・フリークエンシー時間追跡構成要素１４８は、モバイル通信デバイス１０４およびクライアント・デバイス１４４に命令し、露出メトリックとの部分的な適合に関する報告を受信して、いつ広告ターゲットが満たされたかを判断する。
【００３７】
そのような永続的リーチ・フリークエンシー時間広告の一例は、ビヘイビア（たとえば、モバイル通信デバイス１０４上のＷＡＰブラウザ上で実行された検索、スケートボードレクリエーションセンターへの頻繁な近接、応答形オプトインなど）に基づいて市場プラットフォーム１０６がスケートボードファンであると判断した１４歳の少年ジョーイである。スポーツシューズ製造業者は、スケートボードイベントにおいてその製品の使用を促進する広告キャンペーンを有することがあり、その広告を受信するジョーイのようなユーザの分類を選択した。特に、このキャンペーンは、適切な傾向の各受信者（すなわち、リーチ）が、合計３０秒の継続時間（すなわち、時間）の間、少なくとも４回（すなわち、フリークエンシー）広告を受信することを指定する。この露出メトリックを満たす機会は、ジョーイが彼のモバイル通信デバイス１０４上でスケートボードゲームをプレイすることを選択したとき、一部実現できる。ジョーイが彼の株価を閲覧するために金融ウェブページにアクセスしたとき、露出時間の別の部分が生じることがある。初期起動時にユーザ・インターフェース１１４のホーム画面を閲覧しているとき、これはジョーイがクライアント・デバイス１０４を閲覧していることを暗示し、広告を提示するための別の機会が生じることがある。
【００３８】
別の例として、若年成人クリスは、時々いくつかの異なるクライアント・デバイス１０４、１４４と対話することがあり、これらのデバイスは、グラフィカル・ユーザ・インターフェースをもつパーソナル・セルホン、ワイヤレス対応ポータブルゲーム機、大部分は電子メールのために使用されるセルホン対応ハンドヘルドまたはタブレット・デバイスなどを含む。市場プラットフォーム１０６は、これらのデバイスの２つ以上（図示せず）に関連付けることができ、それらのデバイスの使用を同じユーザに関連付け、それによって、選択された広告キャンペーンに関連付けて、追加の機会が広告への所要のフリークエンシーおよび／または露出継続時間を完了することができるようにする。
【００３９】
いくつかの適用例では、ユーザ１４０は、動的公衆広告（たとえば、アクティブなビルボード）を閲覧するなど、第２のクライアント・デバイス１４４と受動的に対話する。この受動対話の判断は、モバイル通信デバイス１０４のロケーション感知構成要素１１６からのロケーション・データを、クライアント・デバイス１４４の感知されたまたは所定のロケーションと相関させる永続的リーチ・フリークエンシー時間追跡構成要素１４８によって判断される。これは、ただ１人の、または数人の個人が動的広告ディスプレイを見ることが可能な場合など、広告のマイクロ・ターゲティングとすることができる。代替的にまたは追加として、動的公衆広告プラットフォームは、ハイウェイのそばで、または人が多い歩行者用道路でなど、より大きい集団によって同時に閲覧される大きい動的ディスプレイとすることができる。提示される広告を動的に変化させるための収入最適化システムは、閲覧者の一部、多数、または全部の現在の人口統計および／またはビヘイビア・プロファイリング特徴づけに関するフィードバックから利益を得ることができる。したがって、一般に適用可能なソフトドリンク広告を、提示されるデフォルト広告とすることがある。
【００４０】
たとえば、製薬または医療デバイス製造業者が進んで１人当たり割増広告レートを支払う対象の会議または病院の近接度により、２０人のユーザがある医学専門分野の専門家としての分類を有するものとして検出されたとき、広告イベントがトリガされる。別の例として、スポーツイベントが終了し、次いで、多数のスポーツファンが去る。ファンの圧倒的な数により、最適な収入を生成する広告は、１人当たりの割増金はより低いが、全体的な価値はより大きい広告へと変化する。この最適化では、集団の移動の相対速度をさらに考慮に入れて、追加の広告時間を販売する機会とのバランスがとれた効果的な露出を行うための方法で広告を変化させることができる。
【００４１】
広告を提示するための機会について、クライアント・デバイス１０４上の様々なアプリケーションのコンピューティング環境にわたる監視、さらには他のクライアント・デバイス１４４に対する監視をさらに活用して、市場プラットフォーム１０６に報告するためのユーザ・ビヘイビアをキャプチャすることができる。たとえば、ユーザ１４０が、ＷＡＰブラウザ検索エンジンにキーワードを入力し、それがキャプチャされる。ポータル・ウェブページ上に与えられるナビゲート・リンクを追跡することができる。ダウンロードおよび使用について、メディア・コンテンツ、ゲーム・コンテンツ、ユーティリティ・アプリケーションの選択を追跡することができる。モバイル通信デバイス１０４の集団に非ターゲット様式で送信される広告のいくつかのクラスとの対話に留意することができる。許される範囲内で、あるビジネス・エンティティとの通信（たとえば、電話通話）をキャプチャすることができる。したがって、いくつかのモバイル通信デバイス１０４によって与えられる一意の対話形態により、ターゲット・マイクロ広告のためのユーザのビヘイビア・プロファイリングを向上させることができる。そのようなキーワード特徴づけの調整または制御は、広告クライアント１１８および１４６によって与えられる機能を用いてクロス・プラットフォーム検索モニタ１５０において実行できる。
【００４２】
アイコンによって表され、広告への応答のユーザの選択に基づいて活動化される、ユーザ・インターフェース１１４とともに使用される複数のアクション、特にモバイル通信デバイス１０４によって利用可能になる通信機能によって可能になるアクションによって、デバイスＵＩにさらなる拡張を与えることができる。代替的にまたは追加として、それらのアクションは、広告主の選好に基づいて選択できる。代替的にまたは追加として、それらのアクションは、市場プラットフォーム１０６のための収入を生成するための傾向に基づいて選択できる。
【００４３】
市場プラットフォーム１０６は、選択的広告アクション・ユーティリティ１５２を利用して、そのようなアクションおよびアイコンおよび機能を、モバイル通信デバイス１０４に配信される広告に組み込むことができる。たとえば、ある広告主は、ウェブサイト、電話カスタマーサービス番号、電子メール応答、ショート・メッセージ・サービス（ＳＭＳ）テキスト応答、クリック・ツー・バイ・ショッピング・カート・インターフェース（たとえば、モバイル通信デバイス１０４のユーザとの、事業者の支払い請求契約によって処理された支払いおよび出荷情報）へとユーザを駆り立てることを望む。アイコンまたは他の手段によって表されるクリック・ツー・クーポン・アクションにより、モバイル通信デバイス１０４自体が、手で運ぶ「クーポン」として働くことができるようになり、あるいは、小売業者が受け入れるための、またはユーザがオンラインで入力するための、引替えコードまたはレンダリングされたバーコードを提示する。クリック・ツー・プロモーション・アクションにより、市場プラットフォーム１０６は、選択的にユーザの特定のクラス、あるいは個人のユーザをディスカウントのターゲットにすることができるようになる。
【００４４】
広告との様々な種類の対話が、広告主にとって様々な価値を有する傾向があるので、提示されるアクションの選択は、優先順位の降順で行われるか、または市場プラットフォーム１０６への異なる報酬値を生じることがある。たとえば、クリック・ツー・バイ・アクションが最も高い価値を有することがあるが、これは、モバイル通信デバイス１０６を用いた契約上の取決めの場合、不適当であることがあり（たとえば、未成年の青年）、またはそのタイプの広告（たとえば、サービスのためのインプレッション広告）の場合、適していないことがある。セカンドティアを、広告主との直接接触（たとえば、クリック・ツー・コール、クリック・ツー電子メール、またはクリック・ツー・テキスト）とすることができる。より低いティアを、少しの関心のみを示す対話（たとえば、クリック・ツー・ロケート、クリック・ツー・コンテンツ、クリック・ツー保存（広告またはクーポン）など）とすることができる。
【００４５】
ユーザのプライバシーは、広告プラットフォーム１０２とユーザ１４０の間に市場プラットフォーム１０６を置くことの利益であるが、いくつかのアプリケーションでは、消費者間広告機能を通信システム１００によって可能にすることができる。市場プラットフォーム１０６は、ダイレクト・マーケティング・キャンペーンをオプトインする可能性があるユーザ１４０に広告主を紹介するブローカーとして働くことができる。別の例として、個人または団体（「信頼できるエンティティ」）１５４が、ダイレクト・マーケティング機能へのアクセスを可能にするコードまたはパスワードなどの受信人許可の表示１５６を得ることができる。たとえば、専門の団体が、その組織に関する契約上の許可を登録によって得て、そのメンバーへの直接広告に関して市場プラットフォーム１０６とネゴシエートすることができ、セミナーへの登録の容認を可能にすることなどを行う。別の例として、ある友人が、仲間内で顕著に表示されるように誕生日広告をスケジュールして、しかも多くのボイスメールを残すという不便なしに、他のメッセージ・フォーマットよりも気づかれる可能性を高くすることができる。さらに別の例として、ある広告主が、ある航空会社の非常に常連の旅客など、特別なステータスにある何人かのユーザにのみ、進んで特別割引を与える。そのような個人に対して、広告主が区別するように選択した人々にはそのような申し出を広く利用可能にすることなしに、ターゲットクリック・ツー・クーポンを送信することができる。
【００４６】
図４には、一態様による、モバイル通信デバイス１０４と市場プラットフォーム１０６と広告プラットフォーム１０２との間の対話による、エンド・ツー・エンドのモバイル広告のための方法２００が示されている。ユーザ１４０は、モバイルである必要はないクライアント・デバイス１４４をも利用することができ、市場プラットフォーム１０６は、適用例によっては、これらの通信ステップのうちのいくつかを、デバイス１０４とデバイス１４４のいずれかまたは両方と調整することを諒解されたい。ブロック２０２において、市場プラットフォーム１０６は人口統計データの集合を処理することによって開始する。そのようなデータは、値を有するが、ユーザがいくつかの理由で正確または完全な自己評価を常に与えるわけではないという点で「疑わしい」と示される。２０４において、この人口統計データは、モバイル通信デバイス１０４によって市場プラットフォーム１０６に与えられるロケーション・リポーティングによって増補される。このロケーション・データは、そこから通信が発信する現在のセルまたはワイヤレス・ノードを仮定すれば、近似的とすることができる。このロケーション・データは、モバイル通信デバイス１０４に組み込まれた全地球測位システム（ＧＰＳ）エンジンから正確に決定でき、特定の物理的アドレスに対してユーザのロケーションを識別するために十分に正確である。さらに、２０６において、報告として示される、呼アクティビティがユーザ・ビヘイビアを与える。ブロック２０８において、この収集されたユーザ・ビヘイビアデータをビヘイビア・プロファイリングのために分析する。本明細書で使用する場合、ビヘイビア・プロファイルは、人口統計変数、ビヘイビア変数、およびＩＡＯ変数に役立つ他の情報（すなわち、興味、態度、および意見）を包含するが、本明細書の態様に一致するいくつかの適用例は、そのような変数のサブセットに限定されることがあることを諒解されたい。
【００４７】
ブロック２１０において、市場プラットフォーム１０６は、モバイル通信デバイス１０４の広告市場の予測を実行する。たとえば、現在の広告使用および全体的なモバイル通信デバイス１０４の使用を、ビヘイビア・プロファイリングに基づいて特定の広告主から利益を得る、モバイル通信デバイス１０４の何人かのユーザの性向と組み合わせることができる。２１２に示すように、この広告予測は、広告キャンペーンを広告プラットフォーム１０２とネゴシエートするためのベースとして役立つことができる。キャンペーンは、リーチ（たとえば、ビヘイビア・プロファイリングに基づいて商品またはサービスに対して高い相関をもつモバイル通信デバイス１０４のユーザのサブセット）、各ユーザへの広告提示のフリークエンシー、選択されたユーザごとの広告の累積閲覧時間、および／または競合者または広告主のビジネス・ロケーションの近位のユーザに対するロケーション制限に関して定義できる。広告キャンペーンは、開始時間および／または終了時間についての制限をもつ特定のカレンダー・スケジュールに制限されることがある。スケジュール制約は、ディナータイムの近くにレストランを訪問するかまたはコンサートに参加するように促されるであろう人々など、特定の時間にアクティブであるユーザに焦点を当てるキャンペーンのための時刻スケジュール制限を備えることもできる。市場プラットフォーム１０６は、広告主が有効性を判断するための貴重なフィードバック・ツールとして役立つことができる広告使用の追跡を行うこともできる。追跡は、市場プラットフォーム１０６のエンド・ツー・エンドのモバイル広告サービスを評価するためのベースとして役立つことができる。
【００４８】
広告キャンペーンを設定して、２１４において、モバイル通信デバイス１０４が、追加の広告が必要であることを市場プラットフォーム１０６にシグナリングすると、２１６において、市場プラットフォーム１０６は、広告プラットフォームに単一のフォーマット広告を要求する。２１８において、広告プラットフォーム１０２は単一のフォーマット広告を与える。
【００４９】
ブロック２２０において、市場プラットフォーム１０６は、１つまたは複数の広告を要求元のモバイル通信デバイス１０４に適したフォーマットにフォーマッティングする。市場プラットフォーム１０６は、適切なビヘイビア・プロファイリングを有すると考えられるモバイル通信デバイス１０４に広告をマイクロ・ターゲッティングする。フォーマッティングの一部は、広告キャンペーンのためにネゴシエートされた用語によるタグ付けメトリックを含む。これらのタグの例には、提示のフリークエンシー、提示の継続時間、スケジュール・ウィンドウ、ロケーション制約などがある。２２２において、カスタム・フォーマッティングされた広告を市場プラットフォーム１０６からモバイル通信デバイス１０４に送信する。
【００５０】
２２４において、モバイル通信デバイス１０４は、タグ付けされたメトリックによる広告を提示する。２２６に示すように、モバイル通信デバイス１０４による広告使用の追跡を市場プラットフォーム１０６に間欠的に報告する。さらに、２２８に示すように、いくつかの態様はロケーション・リポーティングを含む。この広告およびロケーションの追跡を用いて、市場プラットフォーム１０６は、インプレッション広告の成功または失敗を推定するために、広告提示を、監視されたロケーション（たとえば、競合者、広告主のビジネスロケーションなど）のデータベースに対するユーザのロケーションと相関させる。２３２に示すように、モバイル通信デバイス１０４は、いくつかの態様では、ユーザによって直接ダイヤルされるか、またはモバイル通信デバイス１０４の「クリック・ツー・ダイヤル」機能を使用することによって自動的にダイヤルされるなどの呼アクティビティを報告する。いくつかの態様では、２３４において、モバイル通信デバイス１０４は、広告対話アクティビティ（たとえば、ユーザが広告を将来検討するために保存する「クリック・ツー・クリップ」、広告または広告のより詳細なバージョンを閲覧するためにウィンドウを起動する「クリック・ツー・グランス」、ユーザを広告主のロケーションに案内する「クリック・ツー・ロケート」など）を報告することができる。
【００５１】
タグ付けされたメトリックは、追跡されるべきビヘイビアに向かってユーザを導く情報またはアクティブコンテンツを与えることによって、ユーザ・ビヘイビアを可能にすることができる。いくつかの例では、広告主は、いくつかの種類のユーザ・ビヘイビアのみを追跡すべきか、または、効果的な広告を示すものとしていくつかのビヘイビアをより重く重み付けすることを規定することができる。たとえば、クリック・ツー・ロケート・アクションは、クリック・ツー保存よりも強い指示とすることができ、クリック・ツー保存は、順に、必ずしも広告ビジネスを訪問することの証明ではないロケーション近接度よりも強い指示とすることができる。
【００５２】
２３６において、報告された使用データに基づいて、市場プラットフォーム１０６は、広告とのいくつかの種類のユーザ対話に基づいて、広告プラットフォーム１０２とともに仲介された販売を実行する機会を有することができる。２３８において、報告された使用データに基づいて、市場プラットフォーム１０６は、非個人化広告追跡データを広告プラットフォーム１０２に報告することができる。この非個人化は、広告主の関心対象であるデータに適合するフォーマットに、データを要約することができる。非個人化は、ユーザプライバシーを保持するために、個々の識別情報の代わりに広告の消費者の分類を使用することができる。２４０において、市場プラットフォーム１０６は、使用の追跡に対応する未払金額に基づくなど、広告支払い請求を報告することができる。
【００５３】
図５において、例示的な通信システム３００は、一実装形態によれば、広告主／代理店広告サービング・プラットフォーム３０４と、オペレータおよび出版者３０６と、モバイル通信デバイス３０８の集団との間でインターフェースするモバイル広告プラットフォーム３０２から利益を得る。特定のユーザ１４０（図３）は、いくつかの広告目的を達成するために、モバイル広告プラットフォーム３０２によって調整できる２つ以上のモバイル通信デバイス３０８を使用することができることを諒解されたい。ユーザはまた、動的公衆広告ディスプレイ（たとえば、ビルボード、テレビジョン、コンピュータ・ワークステーション、待合室ディスプレイ、公共輸送機関の看板など）３０９として示される固定クライアント・デバイスと対話することができる。モバイル通信デバイス３０８は、そのタイプの固定クライアント・デバイス３０９に関係するときに広告への露出を示すことがあるユーザ対話の指示（たとえば、移動のパターン）を与える。たとえば、大きいディスプレイへの移動は、広告を見る可能性があることを示す。広告サービング・プラットフォーム３０４は、オペレータ広告販売３１０、モバイル広告販売３１２、インターネット広告販売３１４、および／または出版者広告販売３１６などを備えることができ、その特定の通信プロトコルは、モバイル広告プラットフォーム３０２と通信する広告販売／代理店／広告主インターフェース３１８によって収容される。いくつかの態様では、オペレータ（たとえば、ワイヤレス／セルラー・キャリア）３０６は、支払い請求などの機能を実行し、オペレータ／出版者インターフェース３２０を介してモバイル広告プラットフォーム３０２と通信することによってモバイル通信デバイス３０８の利用可能な集団を推定するのを支援することができる。モバイル広告プラットフォーム３０２は、管理人が適切なフォーマッティングおよびタグ付けメトリックを選択できるようにするキャンペーン管理構成要素３２２を含む。このキャンペーン管理３２２は、アクション管理ユーティリティ３２３をさらに含むことができ、アクション管理ユーティリティ３２３は、モバイル通信デバイスによって与えられる通信オプションのタイプを示唆するアクションのためのアイコンを選択するのを支援し、（たとえば、電子メール、直接購買、呼、テキストメッセージ、保存、コンテンツへのナビゲートなどの）アクションのためのワークフロー呼出しコマンドおよびパラメータを定義し、ならびに、広告主に適した、および／または収入生成の可能性のために市場広告プラットフォーム３０２によって好まれるオプションを促すのを支援する。
【００５４】
図６において、例示的なグラフィカル・ユーザ・インターフェース３２４は、一態様によれば、総合ウィンドウ３２６を含み、総合ウィンドウ３２６は、キャンペーン識別情報入力フィールド３２８（たとえば、９１  ４０８１  ９０３４）、キャンペーン名称入力フィールド３３０（たとえば、Ｍａｒｔｉｎキャンペーン）、キャンペーン・ステータス・プルダウン・メニュー３３２（たとえば、計画中）、クリック・ツー・アクション・リンク３３４（すなわち、ユニフォーム・リソース・ロケータ（ＵＲＬ）、たとえば、http://news.bbc.co.uk）、キャンペーン説明入力フィールド３３６（たとえば、クリック・ツー・アクション  ＢＢＣワールド・ニュース・チャンネルのストリーミングを聴取する）、キャンペーン目的入力フィールド３３８（たとえば、ターゲット層、ビヘイビア・プロファイリング・カテゴリＫ、Ｔ、ＡＡ、フリークエンシー５、持続時間４５秒）、およびカテゴリ・プルダウン・メニュー３４０（たとえば、芸術および文化  芸術（一般））にユーザが入力することを可能にする。
【００５５】
例示的なバージョンでは、両方のモバイル通信デバイス３０８はＢＲＥＷ対応である。カリフォルニア州サンディエゴのＱＵＡＬＣＯＭＭ社によって開発されたＢｉｎａｒｙ  Ｒｕｎｔｉｍｅ  Ｅｎｖｉｒｏｎｍｅｎｔ  ｆｏｒ  Ｗｉｒｅｌｅｓｓ（登録商標）（ＢＲＥＷ（登録商標））ソフトウェアは、ワイヤレス・セルラー電話などのコンピューティング・デバイスのオペレーティング・システム上に存在する。ＢＲＥＷ（登録商標）は、コンピューティング・デバイス上で見られる特定のハードウェア機能にインターフェースのセットを与えることができる。したがって、クリック・ツー・アクションリンク３３４は、ＢＲＥＷ「クリックＵＲＬ」、またはユーザが広告と対話することができる方法に関する他の命令（たとえば、クリック・ツー・クリップ、クリック・ツー・コール、クリック・ツー・グランスなど）を含むことができる。
【００５６】
グラフィカル・ユーザ・インターフェース３２４はまた、特定のチップセット、ハードウェア、および／またはソフトウェア構成とともに動作するモバイル構成デバイス３０８のサブセットに固有の構成を与える。例示的なウィンドウ３４２では、ユーザは、幅８８ピクセル×高さ１８ピクセルとして定義されたモバイル広告サイズ８８を選択した。画像選択フィールド３４４は、手動でリサイズされているか、または自動的にクロップされ、縮小され、および／またはウィンドウ３４２によってカラーパレットが変更されている、広告主によって与えられた画像などの画像をキャンペーン管理人が選択できるようにする。追加のテキスト入力フィールド３４６は、モバイル通信デバイス３０８のこの構成に固有であるこの広告と対話する方法を表示するための命令などに使用できる。テキスト位置プルダウン・メニュー３４８は、この追加のテキストを配置するか、またはこの例に与えられているようにそれを完全に省略することができる。
【００５７】
図５に戻ると、キャンペーン管理構成要素３２２からのカスタマイズされた広告は、リアルタイム・インベントリ・データベース３５０に記憶される。一実装形態によれば、オペレータ／出版者３０６によって与えられたデータを、データベース３５０に記憶された予測データとともにインベントリ予測構成要素３５１によって処理することができる。ターゲティングおよび広告選択構成要素３５２は、モバイル通信デバイス３０８からの広告要求を、インベントリ・データベース３５０中のカスタマイズされた広告と一致させる。そのようなターゲティングは、固定クライアント・デバイス３０９の広告ディスプレイ３５５を選択する公衆広告構成要素３５３を備えることができる。その選択は、固定クライアント・デバイス３０９の近傍に移動しているのをモバイル通信デバイス３０８によって検出されたユーザ１４０（図３）の受動対話に基づいて行うことができる。
【００５８】
通信プロトコルおよび広告フォーマットは、モバイル通信デバイス３０８に対してマルチフォーマット広告サービング構成要素３５４によって変換される。例示的な態様では、ｕｉＯｎｅデリバリー・システム（ＵＤＳ）３５８のトリグレット・サービス・アダプター(Ｔｒｉｇｌｅｔ  Ｓｅｒｖｉｃｅ  Ａｄａｐｔｅｒ（ＴＳＡ））３５６がマルチフォーマット広告サービング機能を実行する。ＢＲＥＷの一部としてＱＵＡＬＣＯＭＭ社によって開発されたｕｉＯｎｅ（商標）アーキテクチャは、リッチでカスタマイズ可能なＵＩ（すなわち、アクティブコンテンツ、無線（ＯＴＡ）でアップグレード可能）の迅速な開発を可能にするＢＲＥＷ拡張のセットを与え、適用例以外にダウンロードビジネスを発展させるのに役立ち、部分または全体のハンドセットＵＩのテーマ構成を行い、ＢＲＥＷ  ＵＩウィジェットを利用する。したがって、ＢＲＥＷ  ｕｉＯｎｅＴＭ（商標）は、ハンドセット、キャリアのカスタマイゼーション、および消費者個人化のための製品化までの時間を低減する。これを行うために、ＢＲＥＷ  ｕｉＯｎｅは、アブストラクションの明確なセットを与え、ＢＲＥＷのアプリケーション開発スタックに２つの新しい層を追加する。ｕｉＯｎｅデリバリー・システム３５８を使用して、無線でモバイル・ユーザ・インターフェース（ＵＩ）３６０を更新する。このデリバリー・システム３５８はスタンドアロン様式で展開でき、オペレータが自身のデリバリー・システムの機能を活用できるようにする。ｕｉＯｎｅデリバリー・システム３５８を用いてｕｉＯｎｅアーキテクチャを展開することによって、特にＢＲＥＷソリューションの他の要素（たとえば、オペレータが適切なインフラストラクチャをまだ有していないときの、ダウンロード可能なＵＩパッケージの収益化および支払い請求）とともに展開したとき、さらなる利益を実現することができる。
【００５９】
ＢＲＥＷソリューションの組込み、ｕｉＯｎｅの提供などは例示的なものであり、本明細書の態様に一致する適用例は、他のコンピューティング環境、モバイル・オペレーティング・システム、ユーザ・インターフェース、および通信プロトコルを採用することができることを、本開示の利益とともに諒解されたい。たとえば、ユーザ・インターフェース３６０は、ＪＡＶＡ（登録商標）アプレットおよび動作環境を採用することができる。
【００６０】
例示的なバージョンにおいてこのように構成されたモバイル・ユーザ・インターフェース３６０は、タブＡ３６２およびタブＢ３６４（たとえば、クリップされた広告サブフォルダを含むことができる「ｍｙｓｔｕｆｆ」）を含む。図示のタブＡ３６２が選択され、選択されたゲームショッピングオプション３６６、アプリケーション（「ａｐｐｓ」）ショッピング・オプション３６８、テーマショッピング・オプション３７０、ショッピング検索オプション３７２などのオプションを示す。広告バナー広告３７４は、ダイヤル・トーン・マルチフリークエンシー（ＤＴＭＦ）キーパッド３７８、専用広告対話ボタン（たとえば、クリップ）３８０、ならびにおそらくステアリングボタン３８４および選択ボタン３８６とともに使用される、追加の広告オプションに達するメニューボタン３８２を使用するなど、ユーザが広告３７４と対話することができる方法について説明する追加のテキスト３７６（たとえば、「＃１ツー・クリップ、＃２ツー・コール」）とともに表示される。終了ボタン３８８は、メニュー・シーケンスからのバッキングを可能にする。広告バナー３７４はまた、対話が実行することを図式的に伝達し、ならびにアクションを可能にする、１つまたは複数のアイコン３７５を組み込むことができる。代替的に、アイコンは、メニューまたはアイコンバーまたは他のプラットフォームまたは実装形態固有の方法の範囲内で提示できる。
【００６１】
モバイル通信デバイス３０８は、広告キャッシュ３９０、広告追跡構成要素３９２、コンテキスト・ターゲティング構成要素３９４、ロケーション監視およびリポーティング構成要素３９６、ならびに広告クライアント３９８など、広告３７４とのユーザ対話をサポートし、監視するように動作する機能を与え、それは例示的なバージョンではＢＲＥＷ拡張である。ロケーション監視およびリポーティング構成要素３９６は、全地球測位システム（ＧＰＳ）４００からロケーションを導出することができる。代替的に、無線周波数識別システム、ワイヤレス・アクセス・ポイント、セルラー方向探知などは、ＧＰＳ受信から一時的に遮蔽されているか、または固有のロケーション感知機能がないモバイル通信デバイスに関する近似ロケーション情報を与えることができる。固定クライアント・デバイス３０９は、感知された値ではなく、モバイル広告プラットフォーム３０２によってアクセスされる所定のロケーション値４０１を有することができる。このロケーション情報は、受動対話がモバイル広告プラットフォーム３０２の公衆広告構成要素３５３によって推測される公衆広告のために利用できる。
【００６２】
モバイル広告プラットフォーム３０２は、リアルタイム・インベントリ・データベース３５０中に、モバイル通信デバイス３０８から受信されたデータを記憶する。リポーティングおよび分析構成要素４０２は、データベース３５０から受信され、広告追跡識別子フィルタ４０４によって個々の識別情報からフィルタ処理されるデータを要約して、フィルタ処理して、フォーマッティングする。準備されたデータは、請求書を広告サービング・プラットフォーム３０４に送信する支払い請求構成要素４０６によって、および／または、オペレータおよび出版者３０６と対話する決済構成要素４０８によって使用される。
【００６３】
図６に戻ると、ウィンドウ３４２は、そのタイプのモバイル通信デバイス３０８の機能に適した、広告主によって可能にされる通信方法（たとえば、テキスト・メッセージング、電子メールを送ること、ウェブページ、電話通話など）に適した、および／または市場広告プラットフォーム３０２のための収入生成の可能性にとって最適な広告アクションおよびアイコン選択を可能にすることができる。複数のバナーサイズの選択ラジオボタンおよび記述４１０は、画像選択フィールド３４４中の選択されたバナー４１２のレンダリングを変更して、特定のタイプのモバイル通信デバイス３０８に適するようにすることができる。
【００６４】
割り当てられたアイコンによって表される様々なアクションは、組込みのために、ドラッグ・アンド・ドロップによって、または選択することによってなどで選択できる。適用例によっては、総合ウィンドウ３２６で定義された対応するアクション情報を有しないなど、特定の広告に適さない場合、または、そのタイプのモバイル通信デバイス３０８上で利用可能でない場合、それらのアクション・アイコンは使用不能になる（たとえば、グレー表示される）。図示されていないが、モバイル通信デバイス３０８によってサポートされる場合、選択は複数のアクションを広告に追加できるようにすることができる。代替的にまたは追加として、複数の選択が利用可能なときに好まれるアクション選択の階層を、第１の選択を表示して指定することができる。特定のモバイル通信デバイス３０８上に実際表示されるアクションアイコンは、ユーザの契約上の関係またはローカルアクセスネットワーク上の制限を適応させるように動的に変更できる。たとえば、ユーザがショート・メッセージ・サービスの代金を支払っていなかったり、または、サービスがある場所において利用可能でないことがある。
【００６５】
機能を示唆し、ならびに広告の広範囲の対話可能性を与えるアクションアイコンの例には、限定はしないが、以下のものがある。（１）クリック・ツー・コールアイコン４２０は、発呼を促進するために、広告主によって指定された番号にダイヤルする。（２）クリック・ツーＷＡＰ（ワイヤレス・アプリケーション・プロトコル）アイコン４２２は、ブラウザを起動し、ユーザが広告バナー４１２上で与えられたリンクを手動でタイプできるようにする。（３）クリック・ツー・ランディング・アイコン４２４は、ブラウザが前のページまたはホームページに戻ることができるようにし、これは、制限されたスループットワイヤレスチャネルを使用したモバイル通信デバイス３０８の低速ページローディングのために望まれることがある。（４）クリック・ツーパンフレットアイコン４２６は、広告に関する追加情報の文書記述をレンダリングする。（５）クリック・ツー電子メールアイコン４２８は、自動化された電子メール応答を広告主に送信する。（６）クリック・ツー・クリップ（保持／保存）アイコン４３０は、後でアクセスするために広告を保存する。（７）クリック・ツー転送アイコン４３２は、手動で入力された受信人、または彼らのアドレス帳の１つに広告を転送するユーティリティを起動する。（８）クリック・ツー・メッセージアイコン４３４は、あらかじめ広告主にアドレス指定されたショート・メッセージユーティリティにアクセスする。（９）クリック・ツー・コンテンツ・アイコン４３６は、広告主によって与えられたウェブリンクにナビゲートする。（１０）クリック・ツー・ロケート・アイコン４３８は、広告主への、モバイル通信デバイス３０８からのロケーション情報に関しておそらく最も近いロケーションへの地図をポップアップする。（１１）クリック・ツー・プロモーションアイコン４４０は、賞金レース、コンテスト、プロモーションなどに登録する方法に関する情報を活動化することができる。（１２）クリック・ツー・クーポン・アイコン４４２は、フルブラウザへの入力、郵送での引替えのために、または割引取引にアクセスするためにモバイル通信デバイス３０８上の小売業者に示すように、バーコード、英数字パスワードなどにアクセスすることができる。（１３）クリック・ツー・バイ・アイコン４４４は、購買トランザクションを開始する。適用例によっては、モバイル通信デバイス３０８のサービスプロバイダは、サービス支払い請求にその購買を追加することを含んで、出荷および／または支払い請求情報をデバイス３０８に関連するユーザに与えることによって、トランザクションを向上させることができる。
【００６６】
図７に、いくつかの態様による、通信システム５００の例示的なバージョンを、一態様による、任意のタイプのコンピュータ化されたデバイスとして示す。たとえば、通信デバイス５００は、モバイル・ワイヤレスおよび／またはセルラー電話を備えることができる。代替的に、通信デバイス５００は、プロキシ呼セッション制御機能（Ｐ−ＣＳＣＦ）サーバ、ネットワーク・デバイス、サーバ、コンピュータ・ワークステーションなど、固定の通信デバイスを備えることができる。通信デバイス５００は、そのような説明または例示するデバイスに制限されないが、パーソナル携帯情報機器（ＰＤＡ）、双方向テキストページャ、有線またはワイヤレス通信ポータルを有するポータブル・コンピュータ、および有線および／またはワイヤレス通信ポータルを有する任意のタイプのコンピュータ・プラットフォームをさらに含むことができることを理解されたい。さらに、通信デバイス５００は、リモートスレーブ、またはリモートセンサ、リモートサーバ、診断ツール、データ中継器などの他の同様のデバイスとすることができ、それは、そのエンドユーザを有しないが、ワイヤレスまたは有線のネットワーク上でデータを伝達するにすぎない。代替の態様では、通信デバイス５００は、固定電話機、パーソナルコンピュータ、セットトップボックスなどの有線通信デバイスとすることができる。さらに、単一のタイプまたは複数の前述のタイプの任意の数の通信デバイス５００の任意の組合せをセルラー通信システム（図示せず）中で利用することができることに留意されたい。したがって、本装置および本方法は、それに応じて、限定はしないが、ワイヤレスモデム、Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ（ＰＣＭＣＩＡ）カード、アクセス端末、パーソナル・コンピュータ、電話、あるいはその任意の組合せまたは部分的な組合せを含む有線またはワイヤレス通信ポータルを含む、任意の形式の有線またはワイヤレス・デバイスまたはコンピュータ・モジュール上で実行できる。
【００６７】
さらに、通信デバイス５００は、広告を閲覧して、広告と対話することなどの目的のためにユーザ・インターフェース５０２を含むことができる。このユーザ・インターフェース５０２は、通信デバイス５００へのユーザ入力を生成するかまたは受信するように動作可能な入力デバイス５０４と、通信デバイス５００のユーザによる消費のための情報を生成および／または提示するように動作可能な出力デバイス５０６とを含む。たとえば、入力デバイス５０２は、キーパッドおよび／またはキーボード、マウス、タッチスクリーン・ディスプレイ、ボイス認識モジュールに関連したマイクロホンなどの少なくとも１つのデバイスを含むことができる。さらに、たとえば、出力デバイス５０６は、ディスプレイ、オーディオスピーカ、触覚フィードバック機構などを含むことができる。出力デバイス５０６は、グラフィカル・ユーザ・インターフェース、サウンド、振動などの感覚または点字テキスト生成面などを生成することができる。
【００６８】
さらに、通信デバイス５００は、機能をデバイス５００に与えるためにアプリケーションを実行するように動作可能なコンピュータ・プラットフォーム５０８を含むことができ、コンピュータ・プラットフォーム５０８は、入力デバイス５０４および出力デバイス５０６とさらに対話することができる。コンピュータ・プラットフォーム５０８は、読み取り専用メモリおよび／またはランダムアクセスメモリ（ＲＡＭおよびＲＯＭ）、消去可能プログラマブル読出し専用メモリ（ＥＰＲＯＭ）、電気消去可能プログラマブル読出し専用メモリ（ＥＥＰＲＯＭ）、フラッシュメモリ、および／またはコンピュータ・プラットフォームに共通のメモリなど、揮発性および不揮発性メモリ部分を備えることができるメモリを含むことができる。さらに、メモリは、電子ファイルシステム、ならびに磁気媒体、光学媒体、テープ、ソフトおよび／またはハードディスク、およびリムーバブルメモリ構成要素などの任意の二次および／または三次記憶装置デバイスを含むアクティブメモリおよびストレージメモリを含むことができる。例示的なバージョンでは、メモリは、ＲＡＭメモリ５０９および不揮発性ローカル・ストレージ構成要素５１０として示され、その両方ともコンピュータ・プラットフォーム５０８のデータバス５１２に接続される。
【００６９】
さらに、コンピュータ・プラットフォーム５０８は、特定用途向け集積回路（ＡＳＩＣ）、または他のチップセット、プロセッサ、論理回路、または他のデータ処理デバイスとすることができるプロセッサ５１４をも含むことができる。いくつかの態様では、通信デバイス５００がセルラー電話を備えるときなど、プロセッサまたは特定用途向け集積回路（ＡＳＩＣ）５１６などの他の論理回路は、アプリケーション・プログラミング・インターフェース（ＡＰＩ）５１８を実行することができ、アプリケーション・プログラミング・インターフェース（ＡＰＩ）５１８は、（たとえば、通信呼制御、警報クロック、テキストメッセージングなどの）他の機能に対してメモリ５０９中でアクティブであるアプリケーション（たとえば、ゲーム）５２０として示される、任意の常駐ソフトウェア構成要素とインターフェースする。本開示の態様に一致するアプリケーションは、他のアプリケーションを省略することができ、および／またはメモリ５０９においてボイス呼、データ呼および媒体関連アプリケーションなどのストリーミングコンテンツを受信する能力を省略することができることを本開示の利益とともに諒解されたい。デバイスＡＰＩ５１８は、それぞれの通信デバイス上で実行しているランタイム環境上で動作することができる。１つのそのようなＡＰＩ５１８は、カリフォルニア州サンディエゴのＱＵＡＬＣＯＭＭ社によって開発されたＢｉｎａｒｙ  Ｒｕｎｔｉｍｅ  Ｅｎｖｉｒｏｎｍｅｎｔ  ｆｏｒ  Ｗｉｒｅｌｅｓｓ（登録商標）（ＢＲＥＷ（登録商標））ＡＰＩ５２２である。
【００７０】
さらに、プロセッサ５１４は、通信システム３００（図５）上で、通信デバイス５００の機能および通信デバイス５００の操作可能性を使用可能にするハードウェア、ファームウェア、ソフトウェアおよびそれらの組合せにおいて実施される様々な処理サブシステム５２４を含むことができる。たとえば、処理サブシステム５２４は、通信を開始し維持することと、データを他のネットワーク化されたデバイスと、ならびに通信デバイス５００の構成要素内で、および／または構成要素間で交換することとを可能にする。一態様では、セルラー電話においてなど、プロセッサ５１４は、サウンド、不揮発性メモリ、ファイルシステム、送信、受信、検索機能、レイヤ１、レイヤ２、レイヤ３、主制御、リモートプロシージャ、ハンドセット、電力管理、診断、デジタル信号プロセッサ、ボコーダ、メッセージング、呼マネージャ、Ｂｌｕｅｔｏｏｔｈ（登録商標）システム、Ｂｌｕｅｔｏｏｔｈ（登録商標）ＬＰＯＳ、位置判断、位置エンジン、ユーザ・インターフェース、スリープ、データサービス、セキュリティ、認証、ＵＳＩＭ／ＳＩＭ（汎用加入者識別モジュール／加入者識別モジュール）、ボイスサービス、グラフィックス、ＵＳＢ（ユニバーサルシリアルバス）、ＭＰＥＧ（Ｍｏｖｉｎｇ  Ｐｉｃｔｕｒｅ  Ｅｘｐｅｒｔｓ  Ｇｒｏｕｐ）プロトコル・マルチメディアなどのマルチメディア、ＧＰＲＳ（Ｇｅｎｅｒａｌ  Ｐａｃｋｅｔ  Ｒａｄｉｏ  Ｓｅｒｖｉｃｅ）、ショート・メッセージ・サービス（ＳＭＳ）、ショート・ボイスサービス（ＳＶＳ（商標））、ウェブブラウザなど、処理サブシステム５２４の１つまたは組合せを含むことができる。開示された態様の場合、プロセッサ５１４の処理サブシステム５２４は、コンピュータ・プラットフォーム５０８上で実行するアプリケーションと対話する任意のサブシステム構成要素を含むことができる。
【００７１】
コンピュータ・プラットフォーム５０８は、通信デバイス５００の様々な構成要素間の通信を可能にし、ならびに、ユーザ・インターフェース５０２上で提示され、および／またはユーザ・インターフェース５０２と対話される広告を受信して追跡することに関係する通信を行うように動作可能である通信モジュール５２６をさらに含むことができる。通信モジュール５２６は、ハードウェア、ファームウェア、ソフトウェアおよび／またはそれらの組合せにおいて実施され、イントラデバイス通信およびインターデバイス通信において使用するためのすべてのプロトコルをさらに含むことができる。ＧＰＳエンジン５２８または他のロケーション感知構成要素は、通信デバイス５００のロケーション情報を与える。
【００７２】
通信デバイス５００のこれらの機能のいくつかは、ローカル・ストレージ５１０からロードされたコードによって可能になり、メモリ５０９中に保持され、オペレーティング・システム（ＯＳ）５３０などのプロセッサ５１４によって実行できる。ユーザ・インターフェース（ＵＩ）モジュール５３２は、ユーザ・インターフェース５０２との対話型制御を可能にする。ＵＩモジュール５３２は、広告対話構成要素５３４を含み、広告対話構成要素５３４は、広告クライアント５４０、特に広告をパッケージングＴｒｉｇｌｅｔサービスアダプタ５４２によって順序付けられた広告待ち行列５３８によって指定された順序で広告キャッシュ５３６から引き出される特定の広告に、調整された対話オプションを与える。広告の使用は広告追跡構成要素５４４によってキャプチャされる。ロケーション・リポーティング構成要素５４６は、デバイスロケーションを選択的に報告する論理回路を含むことができる。
【００７３】
一態様では、ＵＩモジュール５３２は、そこからキーワードを推定することができる、キーワードまたはデータをキャプチャするために、すべてのユーザ入力を監視するキーワードモニタ５４７を含むことができる。それによって、いかなるアプリケーションまたは通信機能が利用されていても、キーワードに関連するこのユーザ・ビヘイビアをキャプチャすることができる。
【００７４】
一態様では、ＢＲＥＷ  ＡＰＩ５２２は、そのタイプの通信デバイス５００に対して特に書き込む必要なしに、デバイスＡＰＩ５１８および他の機能を呼ぶ能力をアプリケーションに与える。したがって、通信デバイス５００上のエンド・ツー・エンドのモバイル広告のためのアプリケーション５２０または構成要素は、いくつかのハードウェア態様を抽出するＢＲＥＷ  ＡＰＩ５２２によって与えられた動作環境内のいくつかの異なるタイプのハードウェアの構成上で、同じように、またはわずかな変更で動作することができる。ＢＲＥＷ拡張５４８は、ＭＰ３プレーヤ、Ｊａｖａ（登録商標）仮想マシンなどを提供するなどの追加の機能をＢＲＥＷ  ＡＰＩ５２２のプログラミングプラットフォームに追加する。一例として、ＵＩモジュール５３２はＢＲＥＷ拡張５４８とすることができる。
【００７５】
通信システム３００（図６）上で計算オーバーヘッドを分散させ、および／または送信オーバーヘッドを低減させるために、人工知能（ＡＩ）構成要素５５０および／またはルールベースの論理構成要素５５２は、リポーティングのためにユーザ・ビヘイビアを推定し、報告可能な広告関連のイベントがいつ発生したかに関して判断を行い、および／または、間欠的ロケーション感知などに基づいてロケーションを外挿することができる。
【００７６】
ルールベースの論理構成要素５５２を採用して、本明細書で説明または示唆するいくつかの機能を自動化することができる。この代替の態様によれば、実装形態方式（たとえば、ルール）を適用して、作用されるべきか、または無視されるべき属性のタイプを定義し、言語要素を属性に相関させ、広告閲覧が行われているかどうかを判断するために、ステータスを感知し、最後のユーザ対話における遅延を感知するロケーションを認識するルールを生成することなどができる。例として、ルールベースの実装形態は、広告によって部分的に割り込まれることがあるユーザ対話のタイプに対する基準を自動的に定義することができることを諒解されたい。たとえば、ゲームのローディング中に、広告をフルスクリーンに表示できるようにすることがある。ハーフスクリーン・アプリケーションが例示的なテキスト・メッセージング・アプリケーションを実行しているとき、その場合、たとえば、補助金を支給されたサービスレートを受信するために、ユーザが選択的に使用可能にすることができる広告バナーを表示することができる。ルールベースの論理構成要素５５２は、ユーザが広告と直接対話しないとされた推論に応答して、クリック・ツー・アクション広告に勝るインプレッション広告を要求することができる。それに応答して、ルールベースの実装形態は、所与の通知の量、与えられた詳細のレベルを変更することができ、および／またはリセットを生じることになる編集を完全に防止することができる。
【００７７】
ＡＩ構成要素５５０は、ユーザ・ビヘイビアを予測すること、間欠的ロケーション・データを外挿すること、機械学習に基づいて広告対話オプションを調整することなど、本明細書で説明する１つまたは複数の機能のパフォーマンスを自動化することを可能にする。したがって、様々なＡＩベースの方式を採用することにより、その様々な態様を実施するのを支援することができる。たとえば、ビヘイビア・プロファイリングを生成するために、ユーザロケーションがロケーションのデータベースに対して分析される学習モードで、ＡＩ構成要素５５０をトレーニングすることができる。次いで、ユーザ・ビヘイビアのいくつかのパターンを分類することができる。
【００７８】
分類器は、入力属性ベクトルｘ＝（ｘ１，ｘ２，ｘ３，ｘ４，ｘｎ）をクラスラベルクラス（ｘ）にマッピングする関数である。分類器はまた、入力がクラスに属するという信頼度、すなわちｆ（ｘ）＝信頼度（クラス（ｘ））を出力することができる。そのような分類は、（たとえば、分析ユーティリティおよびコストに因数分解する）確率的および／または統計ベースの分析を採用して、ユーザが自動的に実行されることを望むアクションを予測または推定することができる。
【００７９】
サポート・ベクターマシン（ＳＶＭ）は、採用できる分類器の例である。ＳＶＭは、最適な方法で非トリガイベントからトリガ入力イベントを分割する可能な入力の空間において超曲面を発見することによって動作する。ナイーブベイズ、ベイジアン・ネットワーク、決定ツリー、ニューラル・ネットワーク、ファジィ論理モデル、最大エントロピーモデルなどを含む他の分類手法を採用することができる。本明細書で使用する分類はまた、優先順位のモデルを開発するために利用される統計的回帰を含む。
【００８０】
本明細書から容易に諒解されるように、本開示は（たとえば、複数のユーザからの一般的なトレーニング・データによって）あらかじめトレーニングされた分類器、ならびに（たとえば、ユーザ・ビヘイビアの観察、傾向の観察、外部情報の受信による）強化学習の方法を採用することができる。したがって、本開示を使用して、限定はしないが、所定の基準に従って、問題のリセット条件を構成するもの、差し迫ったコントローラのリセットを伝達すべきとき／場合、コントローラのリセットを防止すべきとき／場合、交換すべきデータのタイプの選好などを判断することを含むいくつかの機能を自動的に学習し、実行することができる。
【００８１】
図８において、図５の通信システムによって大部分は実行されるモバイル通信デバイス広告のための方法６００が、一態様によれば、広告管理人がモバイル通信デバイス上の展開のために広告を準備するブロック６０２において開始する。ブロック６０４において、モバイル通信デバイスクライアントは、市場プラットフォーム（たとえば、ｕｉＯｎｅデリバリー・システム（ＵＤＳ））にバナー広告などの新しい広告を要求する。ブロック６０６において、ＵＤＳの広告パッケージング・トリグレット・サービス・アダプター(Ｔｒｉｇｌｅｔ  Ｓｅｒｖｉｃｅ  Ａｄａｐｔｅｒ（ＴＳＡ））は、複数の広告（たとえば、画像、メタデータなど）を要求する。次に、ブロック６０８において、モバイル通信デバイスが広告を受信して、ユーザ・インターフェースはバナー広告を表示する。ブロック６１０において、広告は、広告と対話するか、または広告に応答する１つまたは複数の方法をユーザに与える。たとえば、ブロック６１２において、「クリック・ツー・グランス」動作がワイヤレスアプリケーションプロトコル（ＷＡＰ）ブラウザを活動化する。別の例として、「クリック・ツー・コール」は、自動的に起動されるか、または６１４において「コール・ダイヤラー」として示す広告上に表示される電話番号に相関して手動でダイヤルされ、呼び出されることがある。さらに別の例として、ユーザ・インターフェースは、ブロック６１６に示すクーポンクリッピング機能を与えることがある。ブロック６１８において、この対話に応答して、モバイル通信デバイスは、要求された広告アクションを起動する。次いで、ブロック６２０において、広告使用を報告するためにこの対話を追跡する。
【００８２】
図９において、エンド・ツー・エンドのモバイル広告のための方法７００は、モバイル通信デバイスのロケーション感知によって可能になる機能を含む。ブロック７０２において、人口統計プロファイリングを収集し、維持するが、一実施形態によれば、そのような入力に与えられる重みを制限することができる。ブロック７０３において、デバイスのユーザのビヘイビア選好を推定することができるモバイル通信デバイスからのロケーション報告に基づいて、ロケーションベースのビヘイビア・プロファイリングを実行する。このプロセスについて、図１０に関して以下で論じる。
【００８３】
ブロック７０４において、図１４に関して以下でより詳細に論じる、広告アイコンアクションを選択し、評価するための方法は、モバイル通信デバイスにおいておよび／または広告主について利用可能とすることができる増加した通信オプションを活用する。
【００８４】
ブロック７０５において、ユーザのビヘイビア・プロファイリングを、ＷＡＰブラウザに入力されたキーワードおよびモバイル通信デバイス３０８との他の対話をキャプチャすることによって向上させる。対話のより広い範囲を包含するために、ユーティリティは、表示されていることにおそらく相関するキーストロークをキャプチャするためにユーザ・インターフェースを直接監視することができる。代替的に、または追加して、特に制限された機能のモバイル通信デバイス３０８のための、キーワード特徴づけは、通信システムの上流で行われることがある。
【００８５】
ブロック７０６において、図８について上述したように、ロケーション使用不能なモバイル通信デバイスをサポートする、マイクロ・ターゲッティングされた広告プロセスを実行する。ブロック７１０において、図１１に関して以下で論じる別の態様は、リーチ・フリークエンシー時間広告を可能にする。ブロック７１２において、図１２に関して以下で論じる追加の態様は、インターセプター広告キャンペーンを実行するために、ロケーションおよびタグ付けメトリック機能を活用する。ブロック７１４において、図１３に関して以下で論じるまたさらなる態様は、時限クーポン広告を与えるために、タグ付けメトリック機能を活用する。
【００８６】
クリティカル・マス・ビルボード広告方法（ブロック７１６）は、図１５に関して以下で論じるように、モバイル通信デバイスのためのロケーション情報が動的公衆広告ディスプレイとともに使用される場合に実行できる。また、ユーザターゲット広告を実行することを望む信頼できるエンティティに対して消費者間広告を実行することができる（ブロック７１８）。
【００８７】
ブロック７２０において、広告追跡は、広告とのユーザ対話の追跡を全体的にまたは部分的に備えることができる。一態様では、ユーザ対話は、広告主のウェブページにナビゲートするようにクリックさせることができるクリック・ツー・アクション（ブロック７２２）を備えることができる。クリック・ツー・アクションはまた、広告主からの呼または、発呼者、広告主への呼を受信したいという要求を引き起こすことがある。クリック・ツー・アクションはまた、ＳＭＳまたは他の通信チャネルを起動することができる。別の態様では、ユーザ対話は、ユーザが後で閲覧するために広告をクリップできるようにするクリック・ツー・クリップ（ブロック７２４）とすることができる。たとえば、ゲームプレイの最中で広告をクリップすることは、ユーザ経験を中断することを回避する。エンターテインメントまたは情報の値をユーザに与える一方、広告主のためにインプレッション広告またはブランド広告として役立ツー・バイラルビデオなどのプロモーションのコンテンツを、繰り返し閲覧するために保存することができる。さらなる態様として、ブロック７２６において、ユーザ対話はクリック・ツー・ロケートとすることができる。たとえば、広告を活動化することは、ナビゲーション情報を広告主のロケーションに送り出すことができる。クリック・ツー・ロケートは、広告主のロケーションに入ることとして感知されることを備えることができ、それは、成功したインプレッション広告として考えられる。クリック・ツー・ロケートは、電子割引クーポンとして、ユーザがユーザの広告ディスプレイを広告主に導くことを備えることができ、それは、成功を追跡するために、手動でまたは自動的に広告に相関することができる。さらに別の態様では、ユーザ対話はクリック・ツー・グランス（ブロック７２８）を備えることができ、アプリケーションはモバイル通信デバイスのユーザ・インターフェースの別のウィンドウにおいて起動される。ブロック７３０において、広告に関連するユーザ応答は、ユーザ・ビヘイビア・プロファイリングを追跡し、更新するためのソースとすることができる。
【００８８】
図１０において、一実施形態による、ロケーション情報に基づくビヘイビアを実行するための方法８００は、ブロック８０２において広告主および競合者のロケーション・データベースを維持することを備えることができる。そのようなロケーション相関は、エンド・ツー・エンドのモバイル広告に関して取り上げられる予想広告主を含むことができる。ブロック８０４において、モバイル加入者のロケーションを監視する。ブロック８０６において加入者が監視されたロケーションにいると判断したとき、次いで、ブロック８０８において、推定されるトランザクションビヘイビアを記憶する。ブロック８１０において、ユーザのビヘイビア・プロファイリングを向上させるために、１つまたは複数のそのような推定されたトランザクションビヘイビアの例からパターンを相関させる。
【００８９】
図１１において、一態様による、リーチ・フリークエンシー時間広告のための方法９００は、ブロック９０２において、商品またはサービスの特定の広告から利益を得ることができるモバイル通信デバイスのビヘイビア／人口統計集団を予測することから開始する。ブロック９０４において、マイクロ・ターゲッティングされた広告をこの予測された集団に送信する。ブロック９０５において、発呼スクリーン、テキストメッセージングスクリーン、ウェブページ・ブラウジング・スクリーン、ゲームスクリーン、（たとえば、計算器、カレンダー、連絡先リスト、ノートパッドなどの）パーソナル・オーガナイザー・スクリーンの使用など、ユーザ・インターフェース（ＵＩ）の様々な使用を監視する。利用可能な画面サイズなどに応じて、広告スペースは、使用中に、またはスクリーンをロードおよび／または終了するときのいずれかに利用可能である。ブロック９０６において、デバイスで、ユーザ・インターフェース（ＵＩ）上に広告を提示するための機会を認識する。たとえば、ユーザがメニュー・オプションなどを選択すると、デバイスＵＩが活動化されるので、ＵＩがアクティブになり、広告の閲覧が推定できる。
【００９０】
ブロック９０８において、デバイス上にキャッシュされたそれらの広告から広告を選択する。ブロック９１０において、提示のために待ち行列に入れられた次の広告が満了したと判断した場合、ブロック９１２において、待ち行列中の次の広告を選択する。ブロック９１４において、満了していない広告にアクセスすると、その広告をＵＩ上に提示（たとえば、表示）する。ブロック９１６において、この広告の使用の追跡を、増分されたフリークエンシー・カウントで更新し、ブロック９１８において、表示されている累積継続時間を監視する。ブロック９２０において、ユーザが広告バナーを残すアクションを行わなかった場合、ブロック９２２において、この特定のフリークエンシー・カウントまたはこのモバイル通信デバイス上での表示の合計継続時間のいずれかについて、時間ターゲットに達したかどうかに関してさらなる判断を行う。そうでなければ、処理はブロック９１８に戻る。ブロック９２２において、時間制限に達した場合、９２４において、その広告を待ち行列中の次の広告と交換し、処理はブロック９０６に戻る。ブロック９２０において、ユーザが広告バナーを残すことを保証するアクションを行った場合、ブロック９２６において、フリークエンシー・カウントターゲットに達したかどうかに関してさらなる判断を行う。そうでなければ、ブロック９２８において、好適な間隔の後繰り返されるように、広告を待ち行列中に戻すかまたは維持し、処理はブロック９０６に戻る。ブロック９２６において、フリークエンシー・カウントターゲットに達した場合、ブロック９２４において、広告を待ち行列中で交換し、処理はブロック９０６に戻る。
【００９１】
フリークエンシーおよび継続時間は、ワイヤレス・デバイスのいくつかの使用に関連するように指定できる。広告主は、ゲームをするために自分のワイヤレス・デバイスを使用するユーザに対してゲーム広告を実行することのみを望むことがある。別の例として、ユーザがこのサービスのためにキャリアの代金を支払っているとき、電話としての使用は広告を省略することができる。対照的に、ゲームの割引またはデモンストレーションバージョンを、補助金を支給されたコストを保証する広告とともに受け取ることができる。しかしながら、例示的な態様において、広告の助けとなるユーザ・インターフェース（ＵＩ）のすべての使用は、広告を表示する機会として使用できる。フリークエンシーおよび継続時間の計算は各提示をカウントする。したがって、相互コンテンツ広告は、広告キャンペーンのとき、複数のタイプのワイヤレス・デバイスの使用を含む。例示的な例として、そのビヘイビアおよび人口統計プロファイルによって判断された１４歳の男性のスケートボードファンである、ワイヤレス・デバイス・ユーザのジョーイを考える。スポーツシューズ広告主は、加入者がそれらのハンドセット上で４回で合計３０秒間、シューズの広告を閲覧しなければならないように指示する。ジョーイは、スケートボード・ゲームをプレイすることの一部として、シューズの広告を閲覧し、次いで、株価を受信するためにＦｉｎａｎｃｉａｌ  Ｎｅｗｓ  Ｎｅｔｗｏｒｋウェブページに進み、シューズの広告主から同じ広告キャンペーンを受信し、シューズの広告主は、広告を閲覧している秒としておよび３０秒の継続時間の一部としてカウントする。ジョーイは、彼のｕｉＯｎｅ  Ｈｏｍｅｓｃｒｅｅｎを含むどんなコンテンツを閲覧しても、メトリックが満たされるまで、シューズの広告を見る。
【００９２】
図１２において、一態様による、インターセプター・マイクロ・ターゲッティング広告のための方法９４０は、ブロック９４２においてトランザクションを予測するために、ロケーション情報に基づくビヘイビア・プロファイリングを利用することによって開始する。予測されたトランザクションが競合者の仕事をしているとき、広告を要求するか、または広告を広告キャッシュ中にインターセプター広告機会として配置する。たとえば、広告主が、競合者に向かっている人々に広告を送信することを選択した場合、広告支払い請求レートを増加することができる。したがって、収入最適化広告オークションは、そのような機会の優先順位を増加させることができる。
【００９３】
いくつかの態様では、広告が提示された場合、広告主は、ユーザが最もビヘイビアを変更しやすいとき、機会の固有のウィンドウをターゲットにすることを選択する。したがって、ブロック９４６において、広告キャンペーンによって指定された提示基準に適合するために、モバイル加入者のロケーションおよび時間／日付を監視する。たとえば、ユーザは、金曜日の正午に昼食のために競合者のレストランに行く傾向がある。広告主は、１１：３０に、および／またはユーザが現在の平均速度に基づいて広告主のビジネスまで３分の移動の範囲内にいるとき、および／またはユーザが競合者のロケーションの半マイルの範囲内内にいるとき、広告をそのようなユーザに提示することを選択することができる。ブロック９４８において、時間／近接度メトリックがトリガされたかどうかに関して判断を行う。そうであれば、ブロック９５０において、インターセプター広告を提示する。示してはいないが、ユーザは、広告の成功と考えられる方法で、広告と対話することができる。ブロック９５２に示すように、インプレッション広告の場合では、モバイル加入者のロケーションを監視する。ブロック９５４において、競合者ロケーションを入力した場合、ブロック９５６において、この場合では失敗したものとして広告を追跡する。ブロック９５４において、競合者ロケーションでない場合、ブロック９５８において、インターセプター広告主ロケーションが入力されたかどうかに関して判断を行う。そうであれば、ブロック９６０において、広告を成功したものとして追跡する。任意の妥当な時間期間内に競合者またはインターセプター・ロケーションがない場合、ブロック９６２において、広告を、決定的でない効果を有しているものとして追跡する。
【００９４】
図１３において、一態様による、モバイル通信デバイス上の時限クーポンのための方法９７０は、ブロック９７２において、広告リポジトリ中の広告に関連する、時間タグ付けメトリック（たとえば、開始時間、ターゲット時間および／または終了時間）を利用する。ブロック９７４において、モバイル・デバイス中の広告キャッシュを時限クーポン広告でリフレッシュする。ブロック９７６において、時限クーポン広告がスケジュール・メトリック内で提示することをスケジュールされるように、広告待ち行列を最適化する。次いで、ブロック９７８において、広告がユーザ・インターフェースに必要とされるかの判断を行う。そうであれば、ブロック９８０において、任意の開始時間メトリックが満たされたことを確認するためのさらなる判断を行う。そうでなければ、待ち行列中の次の広告を選択し、処理はブロック９８０に戻る。ブロック９８０において、開始時間が満たされた場合、ブロック９８４において、終了時間を超えたかどうかに関してさらなる判断を行う。そうであれば、ブロック９８６において、待ち行列からその広告を削除し、ブロック９８２において、待ち行列中の次の広告を選択する。ブロック９８４において、広告終了時間を超えなかった場合、ブロック９８８において、広告をＵＩ上に表示する。
【００９５】
図１４において、一態様による、モバイル通信デバイスに適した広告アイコン・アクションを選択するための方法１２００は、限定はしないが、クリック・ツー・コール、クリック・ツー・パンフレット、クリック・ツー・クリップ、クリック・ツー・メッセージ、クリック・ツー・ロケート、クリック・ツーＷＡＰ、クリック・ツー電子メール、クリック・ツー転送、クリック・ツー・プロモーション、クリック・ツー・クーポン、クリック・ツー・バイおよびクリック・ツー・ランディングを含むことがあるすべての可能なアクションに対して示唆し、動作可能な広告アイコンを定義することによって開始する（ブロック１２０２）。利用可能なワークフローのタイプ（たとえば、通信チャネル）に対する制限、ユーザ・インターフェースの入力および出力に対する制限などを判断するために、クライアント・デバイス構成にアクセスする（ブロック１２０４）。デバイスのタイプに適した広告アクションおよびアイコンのサブセットを提示する。リストはまた、どの広告アイコンが活動化すべき広告主に関する十分な情報（たとえば、電子メールアドレス、電話番号、ウェブサイト、パンフレットに対するｕｎｉｆｏｒｍ  ｒｅｓｏｕｒｃｅ  ｌｏｃａｔｏｒ（ＵＲＬ）など）を供給されたかを示すことができる（ブロック１２０６）。特に、例示的な実装形態では、リストはアクションのセットを含み、各アクションは、アイコンまたはアイコン参照およびワークフロー・コマンドおよびパラメータ（たとえば、ＢＲＥＷプラットフォーム上のＢＲＥＷ  ＵＲＩ）を含む。自動的またはユーザ・プロンプトを用いてのいずれかの選択プロセスは、広告アクション・アイコンの配置および構成を含むように案内することができる。選択は、様々なタイプの活動化の広告主に対して相対的な値によって影響を受けることがあり、示唆またはレンダリングのための階層を組み込む（ブロック１２０８）。
【００９６】
図１５において、一実施形態による、クリティカル・マス・ビルボード広告のための方法１３００は、モバイル通信デバイスの集団のロケーションを追跡することを含む（ブロック１３０２）。動的公衆広告ディスプレイの近傍内にあると感知されるクライアント・デバイスについて判断を行う（ブロック１３０４）。適切な広告を選択するために、クライアント・デバイスの近位のユーザの人口統計および／またはビヘイビア・プロファイリングにアクセスする（ブロック１３０６）。この集団データに基づいて、適切な広告入札にアクセスする（ブロック１３０８）。感知された集団に基づいて、最高の入札を生成した広告を選択することによって、収入を最適化する（ブロック１３１０）。
【００９７】
図１６において、消費者間広告のための方法１４００は、市場プラットフォームの広告配信機能を活用する。一実施形態によれば、特定の信頼できるエンティティ（たとえば、個人、共済組合）に対してユーザ許可を検証する（ブロック１４０２）。広告購買（たとえば、休日、誕生日、会合イベントの近くなど）に対して時間制約を定義する（ブロック１４０４）。対話型オプションを広告に組み込む（ブロック１４０６）。ユーザ・ビヘイビアを、広告を提示するための時間ウィンドウ内の機会について監視する（ブロック１４０８）。モバイル通信デバイスのユーザ・インターフェース上に広告を提示する（ブロック１４１０）。
【００９８】
図１７において、例示的なネットワーク配信デバイス１７００は、広告コンテンツをモバイル通信デバイスに配信するためのコンピュータ可読記憶媒体（メモリ）１７０４中でモジュールを実行するための少なくとも１つのプロセッサ１７０２を有する。ネットワーク配信デバイス１７００は、市場プラットフォーム１２、１０６、３０２（図１〜図５）を備えるか、またはその一部の機能を実行することができる。示される例示的なモジュールでは、第１のモジュール１７０６は、複数のモバイル通信デバイスの複数のユーザを特徴づけるための手段を設ける。第２のモジュール１７０８は、対応するモバイル通信デバイスのロケーション値に基づいて、動的広告ディスプレイの近位にいる閲覧集団としての複数のユーザのサブセットを感知するための手段を設ける。第３のモジュール１７１０は、ユーザのサブセットの特徴づけに基づいて、動的広告ディスプレイ上に表示するための広告を選択するための手段を設ける。
【００９９】
本明細書で説明する態様は、ネットワークレベルストレージおよび処理のいくつかの機能と、モバイル通信デバイスによって実行するための他の機能とを分離することを諒解されたい。態様に一致する適用例は、集中型ロケーションにおいて計算オーバーヘッドを低減するように、および／または通信負荷を低減するようにより多くの分散処理をもつ構成を含むことができることを本開示の利益とともに諒解されたい。代替的に、いくつかの制限された機能のモバイル・デバイスは、追加の処理が集中したモバイル広告をサービスされることがある。
【０１００】
本明細書で開示したバージョンに関連して説明した様々な例示的な論理回路、論理ブロック、モジュール、および回路は、汎用プロセッサ、デジタル信号プロセッサ（ＤＳＰ）、特定用途向け集積回路（ＡＳＩＣ）、フィールド・プログラマブル・ゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。さらに、少なくとも１つのプロセッサは、上述のステップおよび／またはアクションの１つまたは複数を実行するように動作可能な１つまたは複数のモジュールを備えることができる。
【０１０１】
さらに、本明細書で開示された態様に関して説明した方法またはアルゴリズムのステップおよび／またはアクションは、直接ハードウェアで実施するか、プロセッサによって実行されるソフトウェア・モジュールで実施するか、またはその２つの組合せで実施することができる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている他の形態の記憶媒体中に常駐することができる。例示的な記憶媒体は、プロセッサが記憶媒体から情報を読むことができ、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末内に常駐することができる。代替として、プロセッサおよび記憶媒体は、ユーザ端末内に個別構成要素として常駐することもできる。さらに、いくつかの態様では、方法またはアルゴリズムのステップおよび／またはアクションは、コンピュータ・プログラム製品に組み込むことができる、機械可読媒体および／またはコンピュータ可読媒体上のコードおよび／または命令の１つまたは任意の組合せ、あるいはそのセットとして常駐することができる。
【０１０２】
上記の開示は例示的な態様および／または実装形態について論じたが、添付の特許請求の範囲によって定義された、説明した態様および／または実装形態の範囲から逸脱することなく、様々な変更および修正を本明細書で行うことができること留意されたい。さらに、説明した態様および／または実装形態の要素が単数形で説明または請求されていることがあるが、単数形に限定することが明示的に述べられていない限り、複数形が企図される。さらに、いずれの態様および／または実装形態の全部または一部も、別段の記述がない限り、他の態様および／または実装形態の全部または一部とともに利用できる。
【図１】
2011525258.tif 000003
【図２】
2011525258.tif 000004
【図３】
2011525258.tif 000005
【図４】
2011525258.tif 000006
【図５】
2011525258.tif 000007
【図６】
2011525258.tif 000008
【図７】
2011525258.tif 000009
【図８】
2011525258.tif 000010
【図９】
2011525258.tif 000011
【図１０】
2011525258.tif 000012
【図１１】
2011525258.tif 000013
【図１２】
2011525258.tif 000014
【図１３】
2011525258.tif 000015
【図１４】
2011525258.tif 000016
【図１５】
2011525258.tif 000017
【図１６】
2011525258.tif 000018
【図１７】
2011525258.tif 000019